(57)【要約】【課題】情報処理装置の快適な使用感を損なうことなく、情報処理装置の表示画面の所定の階層に表示される表示情報の目的とする箇所を、表示画面の上記所定の階層よりも上位の階層に表示される表示情報に遮られないように表示させることを可能にする。【解決手段】表示画面の所定の階層に表示させる表示情報の生成に用いる壁紙画像データを取得する情報処理装置側通信部１１と、上記表示画面の所定の階層よりも上位の階層に表示される表示情報の有する、属性情報を収集する表示関連情報収集部１４と、上記所定の階層に表示させる表示情報を、上記属性情報に応じて、壁紙画像データより生成する壁紙画像生成部１５とを備える。【選択図】図１
2008299447.tif 000002
【特許請求の範囲】
【請求項１】
表示画面に表示させる情報である表示情報を生成する表示情報生成装置であって、
上記表示画面の所定の階層に表示させる表示情報の生成に用いる表示情報生成データを取得する表示情報生成データ取得手段と、
上記表示画面の所定の階層よりも上位の階層に表示される表示情報の有する、少なくとも表示画面上での配置に関する情報を含む情報である属性情報を収集する属性情報収集手段と、
上記所定の階層に表示させる表示情報を、上記属性情報に応じて、上記表示情報生成データより生成する表示情報生成手段とを備えることを特徴とする表示情報生成装置。
【請求項２】
前記表示情報生成手段は、前記属性情報に応じて、前記表示画面の所定の階層よりも上位の階層に表示される表示情報に対して、前記表示画面の所定の階層に表示される表示情報が上記表示画面上で重ならないように、表示情報生成データの配置を決めて上記表示画面の所定の階層に表示させる表示情報を生成することを特徴とする請求項１に記載の表示情報生成装置。
【請求項３】
前記表示情報生成データが複数ある場合に、少なくとも上記表示情報生成データのいずれかに対して、他の表示情報生成データに対して優先する度合いを示す優先度情報を付与する優先度付与手段をさらに備え、
前記表示情報生成手段は、前記属性情報に加えて、前記優先度付与手段によって付与される優先度情報に応じて、上記表示情報生成データの配置を決めて前記表示画面の所定の階層に表示させる表示情報を生成することを特徴とする請求項１または２に記載の表示情報生成装置。
【請求項４】
前記表示情報生成手段による前記表示画面の所定の階層に表示させる表示情報の生成の開始のトリガとして所定のイベントの発生を検出するトリガ検出手段をさらに備え、
上記トリガ検出手段でトリガを検出したとき、前記属性情報収集手段が前記属性情報を収集し、上記表示情報生成手段が上記表示画面の所定の階層に表示させる表示情報を生成することを特徴とする請求項１〜３のいずれか１項に記載の表示情報生成装置。
【請求項５】
前記表示情報生成手段による前記表示画面の所定の階層に表示させる表示情報の生成の開始のトリガとして所定のイベントの発生を検出するトリガ検出手段と、
上記トリガ検出手段でトリガを検出したとき、上記表示画面の所定の階層に表示させる表示情報の生成を行うか否かの選択をユーザに促す表示を行わせる提示手段と、
ユーザによって上記表示画面の所定の階層に表示させる表示情報の生成を行う選択が行われたことを検出する表示情報変更指示検出手段とをさらに備え、
上記表示画面の所定の階層に表示させる表示情報の生成を行う選択が行われたことを上記表示情報変更指示検出手段で検出した場合に、前記属性情報収集手段が前記属性情報を収集し、前記表示情報生成手段が上記表示画面の所定の階層に表示させる表示情報を生成することを特徴とする請求項１〜３のいずれか１項に記載の表示情報生成装置。
【請求項６】
情報を表示させる表示画面を有する情報処理装置との間での通信が可能なサーバ装置であって、
上記表示画面の所定の階層に表示させる表示情報の生成に用いる表示情報生成データが格納されている表示情報生成データ格納部と、
上記情報処理装置から、上記表示画面の所定の階層よりも上位の階層に表示される表示情報の有する、少なくとも表示画面上での配置に関する情報を含む情報である属性情報を受信する第１受信手段と、
上記表示情報生成データ格納部から表示情報生成データを読み出し、上記属性情報に応じて、当該表示情報生成データから上記所定の階層に表示させる表示情報を生成する表示情報生成手段と、
上記表示情報生成手段で生成した表示情報を上記表示画面で表示させるための表示データを、上記情報処理装置に送信する表示データ送信手段とを備えることを特徴とするサーバ装置。
【請求項７】
情報を表示させる表示画面を有する情報処理装置との間での通信が可能なサーバ装置であって、
上記情報処理装置から、上記表示画面の所定の階層よりも上位の階層に表示される表示情報の有する、少なくとも表示画面上での配置に関する情報を含む情報である属性情報、および上記表示画面の所定の階層に表示させる表示情報の生成に用いる表示情報生成データを受信する第２受信手段と、
上記属性情報に応じて、上記表示情報生成データから上記所定の階層に表示させる表示情報を生成する表示情報生成手段と、
上記表示情報生成手段で生成した表示情報を上記表示画面で表示させるための表示データを、上記情報処理装置に送信する表示データ送信手段とを備えることを特徴とするサーバ装置。
【請求項８】
情報を表示させる表示画面を有する情報処理装置および他のサーバ装置との間での通信が可能なサーバ装置であって、
上記情報処理装置から、上記表示画面の所定の階層よりも上位の階層に表示される表示情報の有する、少なくとも表示画面上での配置に関する情報を含む情報である属性情報を受信するとともに、上記他のサーバ装置から、上記表示画面の所定の階層に表示させる表示情報の生成に用いる表示情報生成データを受信する第３受信手段と、
上記属性情報に応じて、上記表示情報生成データから上記所定の階層に表示させる表示情報を生成する表示情報生成手段と、
上記表示情報生成手段で生成した表示情報を上記表示画面で表示させるための表示データを、上記情報処理装置に送信する表示データ送信手段とを備えることを特徴とするサーバ装置。
【請求項９】
請求項１〜５のいずれか１項に記載の表示情報生成装置の備える前記各手段としてコンピュータを動作させる制御プログラム。
【請求項１０】
請求項６〜８のいずれか１項に記載のサーバ装置の備える前記各手段としてコンピュータを動作させる制御プログラム。
【請求項１１】
請求項９または１０に記載の制御プログラムを記録したコンピュータ読取り可能な記録媒体。
【請求項１２】
請求項１〜５のいずれか１項に記載の表示情報生成装置を備えた情報処理装置であって、
前記所定の階層に表示させる表示情報の生成に用いる表示情報生成データを格納しているサーバ装置から、上記表示情報生成データを受信する第４データ受信手段を備えることを特徴とする情報処理装置。
【請求項１３】
請求項１２に記載の情報処理装置と、
前記所定の階層に表示させる表示情報の生成に用いる表示情報生成データを格納し、上記情報処理装置の第４受信手段へ上記表示情報生成データを送信するサーバ装置とを備えることを特徴とする表示システム。
【請求項１４】
請求項６に記載のサーバ装置と、
情報を表示させる表示画面を有し、上記表示画面の所定の階層よりも上位の階層に表示される表示情報の有する、少なくとも表示画面上での配置に関する情報を含む情報である属性情報を、上記サーバ装置の第１受信手段へ送信する情報処理装置とを備えることを特徴とする表示システム。
【請求項１５】
請求項７に記載のサーバ装置と、
情報を表示させる表示画面、および上記表示画面の所定の階層に表示させる表示情報の生成に用いる表示情報生成データを格納する表示情報生成データ格納部を有し、上記表示画面の所定の階層よりも上位の階層に表示される表示情報の有する、少なくとも表示画面上での配置に関する情報を含む情報である属性情報、および上記表示情報生成データを、上記サーバ装置の第２受信手段へ送信する情報処理装置とを備えることを特徴とする表示システム。
【請求項１６】
請求項８に記載のサーバ装置と、
情報を表示させる表示画面の所定の階層に表示させる表示情報の生成に用いる表示情報生成データを格納し、上記表示情報生成データを上記サーバ装置の第３受信手段へ送信する、上記サーバ装置以外のサーバ装置と、
上記表示画面を有し、上記表示画面の所定の階層よりも上位の階層に表示される表示情報の有する、少なくとも表示画面上での配置に関する情報を含む情報である属性情報を、上記サーバ装置の第３受信手段へ送信する情報処理装置とを備えることを特徴とする表示システム。
【請求項１７】
表示画面に表示させる情報である表示情報を生成する表示情報生成装置の制御方法であって、
表示情報生成データ取得手段によって、上記表示画面の所定の階層に表示させる表示情報の生成に用いる表示情報生成データを取得する表示情報生成データ取得工程と、
属性情報収集手段によって、上記表示画面の所定の階層よりも上位の階層に表示される表示情報の有する、少なくとも表示画面上での配置に関する情報を含む情報である属性情報を収集する属性情報収集工程と、
表示情報生成手段によって、上記所定の階層に表示させる表示情報を、上記属性情報に応じて、上記表示情報生成データより生成する表示情報生成工程とを含むことを特徴とする制御方法。
【請求項１８】
情報を表示させる表示画面を有する情報処理装置との間での通信が可能なサーバ装置の制御方法であって、
第１受信手段によって、上記情報処理装置から、上記表示画面の所定の階層よりも上位の階層に表示される表示情報の有する、少なくとも表示画面上での配置に関する情報を含む情報である属性情報を受信する第１受信工程と、
表示情報生成によって、上記表示画面の所定の階層に表示させる表示情報の生成に用いる表示情報生成データが格納されている表示情報生成データ格納部から表示情報生成データを読み出し、上記属性情報に応じて、当該表示情報生成データから上記所定の階層に表示させる表示情報を生成する表示情報生成工程と、
表示データ送信手段によって、上記表示情報生成工程で生成した表示情報を上記表示画面で表示させるための表示データを、上記情報処理装置に送信する表示データ送信工程とを含むことを特徴とする制御方法。
【請求項１９】
情報を表示させる表示画面を有する情報処理装置との間での通信が可能なサーバ装置の制御方法であって、
第２受信手段によって、上記情報処理装置から、上記表示画面の所定の階層よりも上位の階層に表示される表示情報の有する、少なくとも表示画面上での配置に関する情報を含む情報である属性情報、および上記表示画面の所定の階層に表示させる表示情報の生成に用いる表示情報生成データを受信する第２受信工程と、
表示情報生成手段によって、上記属性情報に応じて、上記表示情報生成データから上記所定の階層に表示させる表示情報を生成する表示情報生成工程と、
表示データ送信手段によって、上記表示情報生成工程で生成した表示情報を上記表示画面で表示させるための表示データを、上記情報処理装置に送信する表示データ送信工程とを含むことを特徴とする制御方法。
【請求項２０】
情報を表示させる表示画面を有する情報処理装置および他のサーバ装置との間での通信が可能なサーバ装置の制御方法であって、
上記情報処理装置から、上記表示画面の所定の階層よりも上位の階層に表示される表示情報の有する、少なくとも表示画面上での配置に関する情報を含む情報である属性情報を受信するとともに、上記他のサーバ装置から、上記表示画面の所定の階層に表示させる表示情報の生成に用いる表示情報生成データを受信する第３受信工程と、
上記属性情報に応じて、上記表示情報生成データから上記所定の階層に表示させる表示情報を生成する表示情報生成工程と、
上記表示情報生成工程で生成した表示情報を上記表示画面で表示させるための表示データを、上記情報処理装置に送信する表示データ送信工程とを含むことを特徴とする制御方法。
【発明の詳細な説明】
【技術分野】
【０００１】
本発明は、壁紙画像を表示画面に表示させる表示情報生成装置、サーバ装置、その制御プログラムおよびコンピュータ読取り可能な記録媒体、情報処理装置、表示システム、ならびに制御方法。に関するものである。
【背景技術】
【０００２】
従来から、パソコン（ＰＣ）、携帯端末等の情報処理装置の表示画面の最下位の階層に背景画像として画像（以下、壁紙画像と称する）を表示させることが一般的に行われている。
【０００３】
また、壁紙画像は背景画像として情報処理装置の表示画面の最下位の階層に表示されるものなので、情報処理端末装置の表示画面では、壁紙画像を背景として各種アプリケーションの操作系ボタンおよびアイコンなどの表示が一般的に行われることになっている。
【０００４】
しかしながら、上述したように、情報処理装置の表示画面では、壁紙画像を背景として各種アプリケーションの操作系ボタンおよびアイコンなどの表示が行われるので、ユーザが壁紙画像を観賞しようとした場合に、ユーザが観賞したい箇所が上記各種アプリケーションの操作系ボタンおよびアイコンなどの表示によって隠されてしまい、目的とする箇所を観賞できないという問題点があった。
【０００５】
そこで、以上の問題点を解決するための方法として、例えば、特許文献１では、情報処理装置の表示画面上の必要な領域が隠れないようにアイコンを自動再配列するアイコンの再表示方法が開示されている。すなわち、特許文献１では、アイコンと背景との表示が重なる場合に、アイコンと背景とにそれぞれ設定された表示優先順位に基づいて、アイコンを自動再配列するアイコンの再表示方法が開示されている。
【特許文献１】特開平８−３１４６７７号公報（平成８年１１月２９日公開）
【発明の開示】
【発明が解決しようとする課題】
【０００６】
上記従来のアイコンの再表示方法では、アイコンが自動再配列された場合に、情報処理装置の表示画面上のアイコンの位置が変わることになる。しかしながら、情報処理装置の表示画面上のアイコンは、操作性などを考慮して個々のユーザが自ら配置を行っている場合が多いため、上記自動再配列によってアイコンの位置が変わった場合、ユーザが混乱するという問題点を有している。また、操作性などを考慮して配置したアイコンの位置が上記自動再配列によって変わった場合、個々のユーザにとっての情報処理装置の操作性が悪くなるという問題点を有している。すなわち、上記従来のアイコンの再表示方法では、上記自動再配列によってアイコンの位置が変わることによって、情報処理装置の快適な使用感を損なう可能性がある。
【０００７】
本発明は、上記従来の問題点に鑑みなされたものであって、その目的は、情報処理装置の快適な使用感を損なうことなく、情報処理装置の表示画面の所定の階層に表示される表示情報の目的とする箇所を、表示画面の上記所定の階層よりも上位の階層に表示される表示情報に遮られないように表示させることを可能にする表示情報生成装置、サーバ装置、その制御プログラムおよびコンピュータ読取り可能な記録媒体、情報処理装置、表示システム、ならびに制御方法を提供することにある。
【課題を解決するための手段】
【０００８】
本発明の表示情報生成装置は、上記課題を解決するために、表示画面に表示させる情報である表示情報を生成する表示情報生成装置であって、上記表示画面の所定の階層に表示させる表示情報の生成に用いる表示情報生成データを取得する表示情報生成データ取得手段と、上記表示画面の所定の階層よりも上位の階層に表示される表示情報の有する、少なくとも表示画面上での配置に関する情報を含む情報である属性情報を収集する属性情報収集手段と、上記所定の階層に表示させる表示情報を、上記属性情報に応じて、上記表示情報生成データより生成する表示情報生成手段とを備えることを特徴としている。
【０００９】
また、本発明の制御方法は、上記課題を解決するために、表示画面に表示させる情報である表示情報を生成する表示情報生成装置の制御方法であって、表示情報生成データ取得手段によって、上記表示画面の所定の階層に表示させる表示情報の生成に用いる表示情報生成データを取得する表示情報生成データ取得工程と、属性情報収集手段によって、上記表示画面の所定の階層よりも上位の階層に表示される表示情報の有する、少なくとも表示画面上での配置に関する情報を含む情報である属性情報を収集する属性情報収集工程と、表示情報生成手段によって、上記所定の階層に表示させる表示情報を、上記属性情報に応じて、上記表示情報生成データより生成する表示情報生成工程とを含むことを特徴としている。
【００１０】
上記の発明によれば、属性情報収集手段によって収集された、情報を表示させる表示画面の所定の階層よりも上位の階層に表示される表示情報の有する、少なくとも表示画面上での配置に関する情報を含む情報である属性情報に応じて、上記表示画面の所定の階層に表示させる表示情報を生成する構成になっている。すなわち、少なくとも表示画面上での配置に関する情報を含む情報である属性情報に応じて、上記所定の階層に表示させる表示情報を生成するので、上記所定の階層に表示させる表示情報よりも上位の階層に表示される表示情報の配置を変更しなくても、上記所定の階層に表示させる表示情報よりも上位の階層に表示される表示情報と重ならないように上記所定の階層に表示させる表示情報を配置することが可能になる。また、少なくとも表示画面上での配置に関する情報を含む情報である属性情報に応じて、上記所定の階層に表示させる表示情報を生成するので、上記所定の階層に表示させる表示情報よりも上位の階層に表示される表示情報の配置を変更しなくても、上記所定の階層に表示させる表示情報よりも上位の階層に表示される表示情報と重ならないように上記所定の階層に表示させる表示情報を表示することが可能になる。また、上記所定の階層に表示させる表示情報よりも上位の階層に表示される表示情報と重なる領域に上記所定の階層に表示させる表示情報の特定の箇所が重なるように表示したり、上記所定の階層に表示させる表示情報の特定の箇所が重ならないように表示したりすることが可能になる。従って、情報処理装置の快適な使用感を損なうことなく、情報処理装置の表示画面の所定の階層に表示される壁紙画像の目的とする箇所を、表示画面の上記所定の階層よりも上位の階層に表示される画像に遮られないように表示させることが可能になる。
【００１１】
また、本発明の表示情報生成装置では、前記表示情報生成手段は、前記属性情報に応じて、前記表示画面の所定の階層よりも上位の階層に表示される表示情報に対して、前記表示画面の所定の階層に表示される表示情報が上記表示画面上で重ならないように、表示情報生成データの配置を決めて上記表示画面の所定の階層に表示させる表示情報を生成することが好ましい。
【００１２】
これにより、属性情報に応じて、表示情報生成データの配置を決めるので、上記所定の階層に表示させる表示情報よりも上位の階層に表示される表示情報の配置を変更しなくても、上記所定の階層に表示させる表示情報よりも上位の階層に表示される表示情報と重ならないように表示情報生成データを配置することが可能になる。さらに、属性情報に応じて、表示情報生成データの配置を決め、表示情報生成手段によって上記所定の階層に表示させる表示情報を生成するので、上記所定の階層に表示させる表示情報よりも上位の階層に表示される表示情報の配置を変更しなくても、上記所定の階層に表示させる表示情報よりも上位の階層に表示される表示情報と重ならないように上記所定の階層に表示させる表示情報を表示することが可能になる。従って、情報処理装置の快適な使用感を損なうことなく、情報処理装置の表示画面の所定の階層に表示される壁紙画像の目的とする箇所を、表示画面の上記所定の階層よりも上位の階層に表示される画像に遮られないように表示させることが可能になる。
【００１３】
また、本発明の表示情報生成装置では、前記表示情報生成データが複数ある場合に、少なくとも上記表示情報生成データのいずれかに対して、他の表示情報生成データに対して優先する度合いを示す優先度情報を付与する優先度付与手段をさらに備え、前記表示情報生成手段は、前記属性情報に加えて、前記優先度付与手段によって付与される優先度情報に応じて、上記表示情報生成データの配置を決めて前記表示画面の所定の階層に表示させる表示情報を生成することが好ましい。
【００１４】
これにより、属性情報に加え、優先度付与手段によって付与された優先度情報に応じて、上記所定の階層に表示させる表示情報の生成に用いる表示情報生成データの配置を決めることが可能になる。よって、優先度情報に応じて、例えば、より優先する度合いの高い優先度情報が付与された表示情報生成データを、上記所定の階層に表示させる表示情報よりも上位の階層に表示される表示情報と重ならない領域に配置したり、より優先する度合いの低い優先度情報が付与された表示情報生成データを、上記所定の階層に表示させる表示情報よりも上位の階層に表示される表示情報と重なる領域に配置したりすることが可能になる。また、上記所定の階層に表示させる表示情報の、目的とする箇所に対応する表示情報生成データに、より優先する度合いの高い優先度情報を付与すれば、上記所定の階層に表示させる表示情報の、目的とする箇所を、上記所定の階層に表示させる表示情報よりも上位の階層に表示される表示情報と重ならないように表示させることが可能になる。
【００１５】
従って、情報処理装置の快適な使用感を損なうことなく、情報処理装置の表示画面の所定の階層に表示される壁紙画像の目的とする箇所を、表示画面の上記所定の階層よりも上位の階層に表示される画像に遮られないように表示させることが可能になる。
【００１６】
また、本発明の表示情報生成装置では、前記表示情報生成手段による前記表示画面の所定の階層に表示させる表示情報の生成の開始のトリガとして所定のイベントの発生を検出するトリガ検出手段をさらに備え、上記トリガ検出手段でトリガを検出したとき、前記属性情報収集手段が前記属性情報を収集し、上記表示情報生成手段が上記表示画面の所定の階層に表示させる表示情報を生成することが好ましい。
【００１７】
これにより、トリガ検出手段によって所定のイベントの発生を検出したときに、情報処理装置の快適な使用感を損なうことなく、情報処理装置の表示画面の所定の階層に表示される壁紙画像の目的とする箇所を、表示画面の上記所定の階層よりも上位の階層に表示される画像に遮られないように表示させることが可能になる。
【００１８】
また、本発明の表示情報生成装置では、前記表示情報生成手段による前記表示画面の所定の階層に表示させる表示情報の生成の開始のトリガとして所定のイベントの発生を検出するトリガ検出手段と、上記トリガ検出手段でトリガを検出したとき、上記表示画面の所定の階層に表示させる表示情報の生成を行うか否かの選択をユーザに促す表示を行わせる提示手段と、ユーザによって上記表示画面の所定の階層に表示させる表示情報の生成を行う選択が行われたことを検出する表示情報変更指示検出手段とをさらに備え、上記表示画面の所定の階層に表示させる表示情報の生成を行う選択が行われたことを上記表示情報変更指示検出手段で検出した場合に、前記属性情報収集手段が前記属性情報を収集し、前記表示情報生成手段が上記表示画面の所定の階層に表示させる表示情報を生成することが好ましい。
【００１９】
これにより、トリガ検出手段によって所定のイベントの発生を検出したときであって、提示手段によってユーザに上記所定の階層に表示させる表示情報の生成を行うか否かを問い合わせ、ユーザから上記所定の階層に表示させる表示情報の生成を行う選択がされたことを表示情報変更指示検出手段で検出した場合に、上記所定の階層に表示させる表示情報を生成することが可能になるので、ユーザにとって上記所定の階層に表示させる表示情報の生成を行う必要がある場合にのみ上記所定の階層に表示させる表示情報を生成することが可能になる。
【００２０】
本発明の情報処理装置は、上記課題を解決するために、前記のいずれかの表示情報生成装置を備えた情報処理装置であって、前記所定の階層に表示させる表示情報の生成に用いる表示情報生成データを格納しているサーバ装置から、上記表示情報生成データを受信する第４データ受信手段を備えることを特徴としている。
【００２１】
上記の発明によれば、情報処理装置の快適な使用感を損なうことなく、情報処理装置の表示画面の所定の階層に表示される壁紙画像の目的とする箇所を、表示画面の上記所定の階層よりも上位の階層に表示される画像に遮られないように表示させることが可能になるとともに、第４データ受信手段によってサーバ装置から上記所定の階層に表示させる表示情報の生成に用いる表示情報生成データを得て、上記所定の階層に表示させる表示情報を生成することが可能になる。
【００２２】
本発明の表示システムは、上記課題を解決するために、前記情報処理装置と、前記所定の階層に表示させる表示情報の生成に用いる表示情報生成データを格納し、上記情報処理装置の第４受信手段へ上記表示情報生成データを送信するサーバ装置とを備えることを特徴としている。
【００２３】
上記の発明によれば、第４データ受信手段によってサーバ装置から上記所定の階層に表示させる表示情報の生成に用いる表示情報生成データを得て、情報処理装置の快適な使用感を損なうことなく、情報処理装置の表示画面の所定の階層に表示される壁紙画像の目的とする箇所を、表示画面の上記所定の階層よりも上位の階層に表示される画像に遮られないように表示させることが可能な上記所定の階層に表示させる表示情報を生成し、表示することが可能になる。
【００２４】
なお、上記表示情報生成装置は、コンピュータによって実現してもよく、この場合には、コンピュータを上記各手段として動作させることにより上記表示情報生成装置をコンピュータにて実現させる制御プログラム、およびそれを記録したコンピュータ読み取り可能な記録媒体も、本発明の範疇に入る。
【００２５】
本発明のサーバ装置は、上記課題を解決するために、情報を表示させる表示画面を有する情報処理装置との間での通信が可能なサーバ装置であって、上記表示画面の所定の階層に表示させる表示情報の生成に用いる表示情報生成データが格納されている表示情報生成データ格納部と、上記情報処理装置から、上記表示画面の所定の階層よりも上位の階層に表示される表示情報の有する、少なくとも表示画面上での配置に関する情報を含む情報である属性情報を受信する第１受信手段と、上記表示情報生成データ格納部から表示情報生成データを読み出し、上記属性情報に応じて、当該表示情報生成データから上記所定の階層に表示させる表示情報を生成する表示情報生成手段と、上記表示情報生成手段で生成した表示情報を上記表示画面で表示させるための表示データを、上記情報処理装置に送信する表示データ送信手段とを備えることを特徴としている。
【００２６】
また、本発明の制御方法は、上記課題を解決するために、情報を表示させる表示画面を有する情報処理装置との間での通信が可能なサーバ装置の制御方法であって、第１受信手段によって、上記情報処理装置から、上記表示画面の所定の階層よりも上位の階層に表示される表示情報の有する、少なくとも表示画面上での配置に関する情報を含む情報である属性情報を受信する第１受信工程と、表示情報生成によって、上記表示画面の所定の階層に表示させる表示情報の生成に用いる表示情報生成データが格納されている表示情報生成データ格納部から表示情報生成データを読み出し、上記属性情報に応じて、当該表示情報生成データから上記所定の階層に表示させる表示情報を生成する表示情報生成工程と、表示データ送信手段によって、上記表示情報生成工程で生成した表示情報を上記表示画面で表示させるための表示データを、上記情報処理装置に送信する表示データ送信工程とを含むことを特徴としている。
【００２７】
上記の発明によれば、情報を表示させる表示画面を有する情報処理装置から第１受信手段で受信した、上記表示画面の所定の階層よりも上位の階層に表示される表示情報の有する、少なくとも表示画面上での配置に関する情報を含む情報である属性情報に応じて、上記表示画面の所定の階層に表示させる表示情報を生成する構成になっている。従って、情報処理装置の快適な使用感を損なうことなく、情報処理装置の表示画面の所定の階層に表示される壁紙画像の目的とする箇所を、表示画面の上記所定の階層よりも上位の階層に表示される画像に遮られないように表示させることが可能になる。
【００２８】
本発明の表示システムは、上記課題を解決するために、前記サーバ装置と、情報を表示させる表示画面を有し、上記表示画面の所定の階層よりも上位の階層に表示される表示情報の有する、少なくとも表示画面上での配置に関する情報を含む情報である属性情報を、上記サーバ装置の第１受信手段へ送信する情報処理装置とを備えることを特徴としている。
【００２９】
上記の発明によれば、情報処理装置の快適な使用感を損なうことなく、情報処理装置の表示画面の所定の階層に表示される壁紙画像の目的とする箇所を、表示画面の上記所定の階層よりも上位の階層に表示される画像に遮られないように表示させることが可能になる。
【００３０】
本発明のサーバ装置は、上記課題を解決するために、情報を表示させる表示画面を有する情報処理装置との間での通信が可能なサーバ装置であって、上記情報処理装置から、上記表示画面の所定の階層よりも上位の階層に表示される表示情報の有する、少なくとも表示画面上での配置に関する情報を含む情報である属性情報、および上記表示画面の所定の階層に表示させる表示情報の生成に用いる表示情報生成データを受信する第２受信手段と、上記属性情報に応じて、上記表示情報生成データから上記所定の階層に表示させる表示情報を生成する表示情報生成手段と、上記表示情報生成手段で生成した表示情報を上記表示画面で表示させるための表示データを、上記情報処理装置に送信する表示データ送信手段とを備えることを特徴としている。
【００３１】
また、本発明の制御方法は、上記課題を解決するために、情報を表示させる表示画面を有する情報処理装置との間での通信が可能なサーバ装置の制御方法であって、第２受信手段によって、上記情報処理装置から、上記表示画面の所定の階層よりも上位の階層に表示される表示情報の有する、少なくとも表示画面上での配置に関する情報を含む情報である属性情報、および上記表示画面の所定の階層に表示させる表示情報の生成に用いる表示情報生成データを受信する第２受信工程と、表示情報生成手段によって、上記属性情報に応じて、上記表示情報生成データから上記所定の階層に表示させる表示情報を生成する表示情報生成工程と、表示データ送信手段によって、上記表示情報生成工程で生成した表示情報を上記表示画面で表示させるための表示データを、上記情報処理装置に送信する表示データ送信工程とを含むことを特徴としている。
【００３２】
上記の発明によれば、情報を表示させる表示画面を有する情報処理装置から第２受信手段で受信した、上記表示画面の所定の階層よりも上位の階層に表示される表示情報の有する、少なくとも表示画面上での配置に関する情報を含む情報である属性情報に応じて、上記情報処理装置から第２受信手段で受信した、上記表示画面の所定の階層に表示させる表示情報を生成する構成になっている。従って、情報処理装置の快適な使用感を損なうことなく、情報処理装置の表示画面の所定の階層に表示される壁紙画像の目的とする箇所を、表示画面の上記所定の階層よりも上位の階層に表示される画像に遮られないように表示させることが可能になる。
【００３３】
本発明の表示システムは、上記課題を解決するために、前記サーバ装置と、情報を表示させる表示画面、および上記表示画面の所定の階層に表示させる表示情報の生成に用いる表示情報生成データを格納する表示情報生成データ格納部を有し、上記表示画面の所定の階層よりも上位の階層に表示される表示情報の有する、少なくとも表示画面上での配置に関する情報を含む情報である属性情報、および上記表示情報生成データを、上記サーバ装置の第２受信手段へ送信する情報処理装置とを備えることを特徴としている。
【００３４】
上記の発明によれば、情報処理装置の快適な使用感を損なうことなく、情報処理装置の表示画面の所定の階層に表示される壁紙画像の目的とする箇所を、表示画面の上記所定の階層よりも上位の階層に表示される画像に遮られないように表示させることが可能になる。
【００３５】
本発明のサーバ装置は、上記課題を解決するために、情報を表示させる表示画面を有する情報処理装置および他のサーバ装置との間での通信が可能なサーバ装置であって、上記情報処理装置から、上記表示画面の所定の階層よりも上位の階層に表示される表示情報の有する、少なくとも表示画面上での配置に関する情報を含む情報である属性情報を受信するとともに、上記他のサーバ装置から、上記表示画面の所定の階層に表示させる表示情報の生成に用いる表示情報生成データを受信する第３受信手段と、上記属性情報に応じて、上記表示情報生成データから上記所定の階層に表示させる表示情報を生成する表示情報生成手段と、上記表示情報生成手段で生成した表示情報を上記表示画面で表示させるための表示データを、上記情報処理装置に送信する表示データ送信手段とを備えことを特徴としている。
【００３６】
また、本発明の制御方法は、上記課題を解決するために、情報を表示させる表示画面を有する情報処理装置および他のサーバ装置との間での通信が可能なサーバ装置の制御方法であって、上記情報処理装置から、上記表示画面の所定の階層よりも上位の階層に表示される表示情報の有する、少なくとも表示画面上での配置に関する情報を含む情報である属性情報を受信するとともに、上記他のサーバ装置から、上記表示画面の所定の階層に表示させる表示情報の生成に用いる表示情報生成データを受信する第３受信工程と、上記属性情報に応じて、上記表示情報生成データから上記所定の階層に表示させる表示情報を生成する表示情報生成工程と、上記表示情報生成工程で生成した表示情報を上記表示画面で表示させるための表示データを、上記情報処理装置に送信する表示データ送信工程とを含むことを特徴としている。
【００３７】
上記の発明によれば、情報を表示させる表示画面を有する情報処理装置から第３受信手段で受信した、上記表示画面の所定の階層よりも上位の階層に表示される表示情報の有する、少なくとも表示画面上での配置に関する情報を含む情報である属性情報に応じて、他のサーバ装置から第３受信手段で受信した、上記表示画面の所定の階層に表示させる表示情報を生成する構成になっている。従って、情報処理装置の快適な使用感を損なうことなく、情報処理装置の表示画面の所定の階層に表示される壁紙画像の目的とする箇所を、表示画面の上記所定の階層よりも上位の階層に表示される画像に遮られないように表示させることが可能になる。
【００３８】
本発明の表示システムは、上記課題を解決するために、前記サーバ装置と、上記表示画面の最下位の階層に表示させる画像である壁紙画像の生成に用いる壁紙画像データを格納し、上記壁紙画像データを上記サーバ装置の第３受信手段へ送信する、上記サーバ装置以外のサーバ装置と、画像を表示させる表示画面を有し、上記表示画面の最下位の階層よりも上位の階層に表示される画像の、上記表示画面上での配置に関する情報であるレイアウト情報を少なくとも含む情報を、上記サーバ装置の第３受信手段へ送信する情報処理装置とを備えることを特徴としている。
【００３９】
上記の発明によれば、従って、情報処理装置の快適な使用感を損なうことなく、情報処理装置の表示画面の所定の階層に表示される壁紙画像の目的とする箇所を、表示画面の上記所定の階層よりも上位の階層に表示される画像に遮られないように表示させることが可能になる。
【００４０】
なお、上記サーバ装置は、コンピュータによって実現してもよく、この場合には、コンピュータを上記各手段として動作させることにより上記サーバ装置をコンピュータにて実現させる制御プログラム、およびそれを記録したコンピュータ読み取り可能な記録媒体も、本発明の範疇に入る。
【発明の効果】
【００４１】
本発明によれば、壁紙画像よりも上位の階層に表示される画像の配置の情報を少なくとも含む情報に応じて、壁紙画像データの配置を決めるので、壁紙画像よりも上位の階層に表示される画像の配置を変更しなくても、壁紙画像よりも上位の階層に表示される画像と重ならないように壁紙画像データを配置することが可能になる。また、壁紙画像よりも上位の階層に表示される画像の配置の情報を少なくとも含む情報に応じて、壁紙画像データの配置を決めることによって、壁紙画像よりも上位の階層に表示される画像と重なる領域に特定の壁紙画像データを配置したり、壁紙画像よりも上位の階層に表示される画像と重なる領域に特定の壁紙画像データを配置しないようにしたりすることが可能になる。
【００４２】
従って、情報処理装置の快適な使用感を損なうことなく、情報処理装置の表示画面の最下位の階層に表示される壁紙画像の目的とする箇所を、表示画面の最下位の階層よりも上位の階層に表示される画像に遮られないように表示させることを可能にするという効果を奏する。
【発明を実施するための最良の形態】
【００４３】
〔実施の形態１〕
本発明の一実施形態について図１ないし図１３（ｄ）に基づいて説明すれば、以下の通りである。なお、以下の説明に用いる図面は、同一の部材または同一の機能のものについては同一の符号を付してある。従って、それらについての詳細な説明は繰り返さない。
【００４４】
最初に、図２を用いて壁紙画像表示システム（表示システム）１の構成の概要について説明を行う。図２は、本実施の形態における壁紙画像表示システム１の概略的構成を示す図である。本実施の形態における壁紙画像表示システム１は、図２に示すように、サーバ装置２および情報処理装置３を備えている。なお、情報処理装置３には壁紙画像生成装置（表示情報生成装置）４が含まれている。
【００４５】
まず、サーバ装置２は、電子雑誌、電子新聞、電子書籍、ウェブマガジンなどのデータ、および少なくともテキスト、画像、ならびにその他のマルチメディアデータのうちのいずれかにより構成される、紙面を模して情報がレイアウトされたブログ等のデータなどの電子情報誌のデータである情報誌データを保管しているものである。また、サーバ装置２は、情報処理装置３に対してネットワークを介して通信可能なものであって、情報処理装置３に上記データを送信するものである。サーバ装置２から情報処理装置３に送信される情報誌データについては、後に詳述する。
【００４６】
続いて、情報処理装置３は、サーバ装置２から取得したデータを壁紙画像（上記表示画面の所定の階層に表示させる表示情報）の作成に用いるデータ（壁紙画像データ、表示情報生成データ）として格納し、壁紙画像生成装置４の働きによって壁紙画像を生成し、上記壁紙画像を表示させるものである。なお、ここで言うところの壁紙画像とは、表示画面の最下位の階層に表示させる背景画像のことを表している。また、情報処理装置３としては、例えば、本発明を適用した携帯電話機、ＰＤＡ（Personal Digital Assistant）などの携帯情報端末機、テレビ、パソコン（ＰＣ）、またはＳＴＢ(Set Top Box)等の、画面にデジタル情報を表示する機器などがある。
【００４７】
次に、図１を用いて、情報処理装置３の構成について説明を行う。図１は、本実施の形態における情報処理装置３の概略的構成を示す機能ブロック図である。情報処理装置３は、図１に示すように、情報処理装置側データ受信部（第４受信手段）２１を含む情報処理装置側通信部（表示情報生成データ取得手段）１１、壁紙画像データ格納部１２、トリガ検出部（トリガ検出手段）１３、表示関連情報収集部（属性情報収集手段）１４、壁紙画像生成部（表示情報生成手段）１５、画像表示部１６、操作入力部１７、優先度付与部（優先度付与手段）１８、再レイアウト確認部（提示手段）１９、および再レイアウト指示検出部（表示情報変更指示検出手段）２０を備えている。また、壁紙画像データ格納部１２、トリガ検出部１３、表示関連情報収集部１４、壁紙画像生成部１５、優先度付与部１８、再レイアウト確認部１９、および再レイアウト指示検出部２０によって壁紙画像生成装置４が構成されている。以降では、情報処理装置３を携帯電話機に適用した場合を例に挙げて説明を行う。なお、携帯電話機は広く既知であるため、本実施の形態では、携帯電話の機能を実現するためにのみ必要な構成についての記載は省略している。
【００４８】
まず、情報処理装置側通信部１１は、サーバ装置２との間での通信を行うものである。そして、情報処理装置側データ受信部２１は、サーバ装置２から送信されてくる情報誌データ（送信データ）を受信し、壁紙画像データ格納部１２に送るものである。また、壁紙画像データ格納部１２は、サーバ装置２から送信されてきた情報誌データを壁紙画像の作成に用いるデータ（壁紙画像データ）として格納するものである。
【００４９】
なお、本実施の形態においては、サーバ装置２から送信されてきた情報誌データを壁紙画像データ格納部１２に格納する構成を示したが、必ずしもこれに限らない。例えば、情報処理装置３が他の情報処理装置（携帯電話機など）から受信した電子メールのデータを壁紙画像データとして壁紙画像データ格納部１２が格納している構成であってもよいし、情報処理装置３の外部の記憶装置（メモリカード等）から読み込んだデータを、壁紙画像データとして壁紙画像データ格納部１２に予め格納している構成であってもよい。
【００５０】
ここで、図３（ａ）および図３（ｂ）を用いて、壁紙画像データのデータ構造についての説明を行う。図３（ａ）は、電子メールのデータに由来する壁紙画像データの一例を示した図である。また、図３（ｂ）は、情報誌データに由来する壁紙画像データの一例を示した図である。
【００５１】
図３（ａ）に示すように、電子メールのデータに由来する壁紙画像データとしては、電子メールごとに、メールアドレス、差出人、受信した日時または送信された日時（日時）、メールの件名（件名）、メールの本文（本文）、画像データ等の添付データ（添付データ）が壁紙画像データ格納部１２に格納されている。また、図３（ｂ）に示すように、情報誌データに由来する壁紙画像データとしては、電子情報誌のデータごとに、電子情報誌の重要度（重要度）、受信した日時または配信（送信）された日時（日時）、電子情報誌の見出し（見出し）、電子情報誌の本文（本文）、画像データ等の添付データ（添付データ）が壁紙画像データ格納部１２に格納されている。なお、ここで言うところの重要度とは、ユーザに情報誌データ、電子メールのデータなどを提示する場合の優先度の指標であって、サーバ装置２側または情報処理装置３側で設定されるものである。
【００５２】
情報処理装置３側で設定される優先度の例として、データ提供日時に応じて優先度が設定される構成であってもよく、この場合には、最新のデータの優先度を最も高く設定する構成が好ましい。また、データ容量、データ提供者に応じて優先度が設定される構成であってもよい。さらに、データの構造に応じて優先度が設定される構成であってもよく、電子メールでは添付データがある場合に、優先度をより高く設定する構成が好ましい。また、優先度の高いデータに関連する一連のデータに対して優先度をより高く設定する構成であってもよく、電子メールでは最新メールのスレッド全部のデータの優先度をより高く設定する構成が好ましい。さらに、端末（携帯電話機）で閲覧回数が多いデータの優先度をより高く設定する構成であってもよい。
【００５３】
また、サーバ装置２側で設定される優先度の例として、端末（携帯電話機）での閲覧回数が多いデータの優先度をより高く設定する構成であってもよいし、人気度の高いデータの優先度をより高く設定する構成であってもよく、サービス提供者の判断に依存して優先度が設定される構成であってもよい。
【００５４】
トリガ検出部１３は、所定のイベントの発生を、既に表示されている壁紙画像のレイアウトを再度行って、新たな壁紙画像を再表示（再レイアウト）するトリガとして検出するものである。また、トリガ検出部１３は、トリガを検出した場合に表示関連情報収集部１４にトリガを検出したことを示す情報（トリガ検出情報）を送るものである。さらに、トリガ検出部１３は、トリガを検出した場合に再レイアウト確認部１９にトリガを検出したことを示す情報（トリガ検出情報）を送るものである。
【００５５】
なお、上記所定のイベントとしては、操作入力部１７へのユーザからの入力（例えば再レイアウトを指示するコマンドの入力）、図示しないマイクなどの音声入力部での音声認識による特定のキーワードの取り込み、タイマなどの図示しない計時部での予めユーザが設定した時刻のカウント、表示画面に表示されているアイコンの移動、表示画面への新たなアイコンの表示、表示画面に表示されていたアイコンの削除、ＧＰＳ機能を備えた図示しない位置情報取得部による特定のエリアへの進入の検知、ＧＰＳ機能を備えた図示しない位置情報取得部による特定のエリアから外れたことの検知、携帯電話のクラムシェルを開けたことの検知、携帯電話のクラムシェルを閉じたことの検知、携帯電話での通話の終了の検知、通信インターフェースを介した着信またはコマンドの受信の検知、情報処理装置側通信部１１での情報誌データの受信の検知、サーバ装置２に保管されている電子情報誌が更新されたことの通知の情報処理装置側通信部１１での受信、特定の相手との通話の検知、図示しない内蔵されたＩＣチップによる駅の改札の通過の検知、図示しないにおいセンサでの所定の閾値以上の値の検出、ＩＣカードの使用の検知、図示しない生体センサでの脈拍の変動、体温の上昇などの検知、または新規メールの受信の検知などがある。また、トリガとして検出される各種イベントとしては、以上の組み合わせであってもよい。
【００５６】
表示関連情報収集部１４は、トリガ検出部１３からトリガ検出情報が送られてきた場合に、表示画面のサイズの情報、表示画面に表示されているアイコンの位置（座標）、幅（width）、高さ（height）の情報、表示画面に表示されている日時の位置（座標）、幅（width）、高さ（height）の情報、表示画面の向きの情報等の情報（表示画面のレイアウトに関する情報である表示画面レイアウト情報）、および表示画面に表示されているアイコンの色（color）の情報、表示画面に表示されている日時の色（color）の情報等の情報（色情報）を含む、表示画面での表示に関する情報である表示関連情報を情報処理装置３から収集するものである。なお、表示関連情報収集部１４は、ＧＰＳ機能を備えた図示しない位置情報取得部から得られる情報処理装置３の位置情報（現在位置情報）、タイマなどの図示しない計時部から得られる日時の情報（現在日時情報）などの、壁紙画像を生成するために利用する情報をさらに情報処理装置３から収集するものであってもよい。なお、表示画面の向きの情報とは、情報処理装置３の表示画面の縦横を切り替えることができる構成であった場合の、その時点で設定されている表示画面の向きを示す情報である。また、表示関連情報収集部１４は、収集した情報を壁紙画像生成部１５に送るものである。
【００５７】
ここで、図４を用いて、表示関連情報収集部１４によって収集される情報（属性情報）についての説明を行う。図４は、表示関連情報収集部１４によって収集される情報の一例を表にまとめた図である。図４に示すように、表示関連情報収集部１４によって収集される情報としては、表示画面のサイズの情報、表示画面に表示されているアイコンの位置（座標）、幅（width）、高さ（height）、色（color）の情報、表示画面に表示されている日時の位置（座標）、幅（width）、高さ（height）、色（color）の情報、表示画面の向きの情報、ＧＰＳ機能を備えた図示しない位置情報取得部から得られる情報処理装置３の位置情報（現在位置情報）、タイマなどの図示しない計時部から得られる日時の情報（現在日時情報）がある。なお、表示関連情報収集部１４によって収集される情報として、他に、表示画面に表示されているアイコンの表示領域の重要度の情報、アイコンの新旧情報などを含む構成であってもよい。なお、ここで言うところの重要度については後に詳述する。
【００５８】
壁紙画像生成部１５は、表示関連情報収集部１４から送られてきた情報（少なくとも表示画面レイアウト情報を含む情報）に基づいて、表示画面上で壁紙画像を表示する領域（壁紙配置領域）を求めるものである。また、壁紙配置領域を求めた後に、壁紙画像データ格納部１２から壁紙画像データを読み出し、読み出した壁紙画像データが壁紙配置領域に収まるようにレイアウトを行い、壁紙画像を生成するものである。また、壁紙画像生成部１５は、生成した壁紙画像を画像表示部１６で表示させるものである。
【００５９】
なお、壁紙画像生成部１５は、表示関連情報収集部１４から送られてくる情報に現在位置情報が含まれていた場合には、例えば現在位置情報が示す地域のニュースに該当する情報誌データを壁紙画像データ格納部１２から読み出し、壁紙画像の再レイアウトを行う構成であってもよい。この場合、地域を示す情報が電子情報誌のデータごとに壁紙画像データ格納部１２に格納されているものとする。
【００６０】
また、壁紙画像生成部１５は、表示関連情報収集部１４から送られてくる情報に現在日時情報が含まれていた場合には、例えば現在日時情報が示す日時のニュースに該当する情報誌データ（例えば、）を壁紙画像データ格納部１２から読み出し、壁紙画像の再レイアウトを行う構成であってもよい。
【００６１】
続いて、画像表示部１６は、画像を表示させる表示画面を有しており、壁紙画像生成部１５で生成された画像を上記表示画面に表示し、ユーザに提示するものである。また、操作入力部１７は、ユーザからの各種の指示入力などを受け付けるものである。
【００６２】
優先度付与部１８は、壁紙画像データ格納部１２に格納されている壁紙画像データに対して、壁紙画像として表示画面に表示させる場合の優先度（ユーザに情報誌データ、電子メールのデータなどを提示する場合の優先度）を示す優先度情報を付与するものである。例えば、優先度付与部１８は、壁紙画像データが電子メールのデータに由来するものであった場合には、壁紙画像データのうちの受信した日時または送信された日時の情報に基づいて、より受信した日時または送信された日時の新しい電子メールのデータに由来する壁紙画像データに対して、より高い優先度情報を付与するものである。また、壁紙画像データが電子新聞であった場合にも、壁紙画像データのうちの受信した日時または配信された日時の情報に基づいて、より受信した日時または配信された日時の新しい電子新聞のデータに由来する壁紙画像データに対して、より高い優先度情報を付与する構成であってもよい。他にも、優先度付与部１８は、壁紙画像データが電子新聞であった場合に、現在時刻に基づいて、例えば朝は経済情報欄により高い優先度情報を付与し、夜はテレビ番組欄により高い優先度情報を付与する構成であってもよいし、日曜の朝は、スポーツ情報欄により高い優先度情報を付与し、一週間分のスポーツ情報を壁紙画像として表示させるようにする構成であってもよい。また、優先度付与部１８は、電子メールのデータの場合に、新たに着信したメールの送信者の過去の電子メールのデータに対して、より高い優先度情報を付与する構成であってもよい。
【００６３】
再レイアウト確認部１９は、トリガ検出部１３からトリガ検出情報が送られてきた場合に、再レイアウトを行うか否かを確認する表示（再レイアウト確認表示）を画像表示部１６に行わせるものである。また、再レイアウト指示検出部２０は、操作入力部１７を介してユーザから、再レイアウトを指示するコマンドの入力が行われた場合に、再レイアウトを指示するコマンドの入力が行われたことを検出するものである。また、再レイアウト指示検出部２０は、再レイアウトを指示するコマンドの入力が行われたことを検出した場合に、再レイアウトを指示するコマンドの入力が行われたことを検出したことを示す情報（再レイアウト指示情報）を表示関連情報収集部１４に送るものである。そして、再レイアウト指示情報を受け取った表示関連情報収集部１４は、表示画面レイアウト情報、色情報などの表示関連情報を含む情報（少なくとも表示画面レイアウト情報を含む情報）を情報処理装置３から収集することになる。
【００６４】
なお、本実施の形態では、壁紙画像生成装置４に再レイアウト確認部１９および再レイアウト指示検出部２０を備える構成を示したが、必ずしもこれに限らず、壁紙画像生成装置４に再レイアウト確認部１９および再レイアウト指示検出部２０を備えない構成であってもよい。すなわち、情報処理装置３に再レイアウト確認部１９および再レイアウト指示検出部２０を備える構成の場合には、上述したようにトリガを検出したときに再レイアウトを行うか否かを確認する表示を表示画面に行うことになるが、情報処理装置３に再レイアウト確認部１９および再レイアウト指示検出部２０を備えない構成の場合には、トリガを検出したときに再レイアウトを行うか否かを確認する表示を表示画面に行わず、表示関連情報収集部１４が表示画面レイアウト情報、色情報などの表示関連情報を含む情報（少なくとも表示画面レイアウト情報を含む情報）を情報処理装置３から収集することになる。
【００６５】
次に、図５を用いて、情報処理装置３での動作フローについて説明を行う。図５は、情報処理装置３での動作フローの一例を示すフローチャートである。
【００６６】
まず、ステップＳ１では、トリガ検出部１３がトリガを検出した場合（ステップＳ１でＹｅｓ）には、ステップＳ２に移る。また、トリガ検出部１３がトリガを検出していない場合（ステップＳ１でＮｏ）には、ステップＳ１のフローを繰り返す。続いて、ステップＳ２では、表示関連情報収集部１４が、表示画面レイアウト情報、色情報を含む表示関連情報、現在位置情報、現在日時情報などの情報を情報処理装置３から収集し、ステップＳ３に移る。
【００６７】
ステップＳ３では、壁紙画像生成部１５が、表示関連情報収集部１４から送られてきた情報（少なくとも表示画面レイアウト情報を含む情報）に基づいて、壁紙配置領域を求め、ステップＳ４に移る。続いて、ステップＳ４では、求めた壁紙配置領域に応じた壁紙画像データを壁紙画像生成部１５が壁紙画像データ格納部１２から読み出し、ステップＳ５に移る。そして、ステップＳ５では、読み出した壁紙画像データが壁紙配置領域に収まるように壁紙画像生成部１５がレイアウト（壁紙画像データの配置）を行って、壁紙画像を生成し、ステップＳ６に移る。ステップＳ６では、壁紙画像生成部１５で生成した壁紙画像を画像表示部１６が表示し、フローを終了する。
【００６８】
次に、図６〜図７（ｈ）を用いて、壁紙画像生成部１５で壁紙画像を生成する処理について、より詳細な説明を行う。図６は、壁紙画像生成部１５での壁紙画像を生成する処理の詳細な動作フローの一例を示すフローチャートである。
【００６９】
まず、ステップＳ１１では、少なくとも表示画面レイアウト情報を含む情報に基づいて、表示画面上でアイコンの表示、日時の表示などが行われていない空き領域の算出を行い、ステップＳ１２に移る。ステップＳ１２では、壁紙画像データ格納部１２に格納されている壁紙画像データのうちの壁紙画像として表示すべき壁紙データの数に合わせて、空き領域を複数の領域（壁紙配置領域）に分割し、ステップＳ１３に移る。なお、壁紙画像として表示すべき壁紙画像データの数には上限が設けられるものであって、壁紙画像として表示する壁紙画像データの数はユーザ、サービス提供者（情報誌データの配信者）などによって任意に定められるものであってもよいし、後述する空き領域を複数の領域（壁紙配置領域）に分割する処理が行なわれる際の空き領域の量に応じて設定される構成であってもよい。
【００７０】
ステップＳ１３では、壁紙画像データ格納部１２から壁紙画像データを読み出して、面積の広い壁紙配置領域から順に各壁紙画像データの順番に応じて壁紙画像データの配置を行う（レイアウトを行う）。なお、ここで言うところの各壁紙画像データの順番とは、優先度付与部１８によって付与された優先度情報が高い順番であってもよいし、サーバ装置２側で情報誌データ、（すなわち壁紙画像データ）に優先度情報が予め付与されていた場合には、当該優先度が高い順番であってもよい。
【００７１】
続いて、ステップＳ１４では、レイアウトが行われた壁紙画像データを壁紙画像のデータとして、画像表示部１６で表示させるための、図示しない表示用のメモリに保存する（壁紙画像を生成する）。
【００７２】
なお、本実施の形態では、壁紙画像データ格納部１２から読み出す壁紙画像データは、サーバ装置２から送信されてきた情報誌データに由来するものであってもよいし、サーバ装置２から送信されてきた情報誌データに由来しないものであってもよい。
【００７３】
続いて、図７（ａ）〜図７（ｈ）を用いて、壁紙画像生成部１５で壁紙画像を生成する処理を具体的に説明する。図７（ａ）〜図７（ｈ）は、壁紙画像生成部１５での壁紙画像を生成する処理の概要を示す模式図である。ここでは、情報処理装置３が携帯電話機であって、電子メールのデータに由来する壁紙画像データを用いる場合を例として説明を行う。
【００７４】
図７（ａ）は、壁紙画像の表示が行われていない情報処理装置３（携帯電話機）の表示画面を示すものであり、アイコン、日時の表示のみが表示画面上で行われている。
【００７５】
まず、壁紙画像生成部１５での壁紙画像を生成する処理では、携帯電話機の少なくとも表示画面レイアウト情報を含む情報に基づいて、図７（ｂ）に示すように、アイコン、日時の表示が行われている表示画面上の領域が求められ、求めたアイコン、日時の表示が行われている表示画面上の領域をもとに、図７（ｃ）に示すように、アイコン、日時の表示が行われていない空き領域が求められる（上述のステップＳ１１に対応）。
【００７６】
続いて、壁紙画像データ格納部１２に格納されている壁紙画像データ（ここでは、電子メールのデータ）の数、優先度などに基づいて、図７（ｄ）に示すように、空き領域を複数の領域（壁紙配置領域）に分割する（上述のステップＳ１２に対応）ことになる。
【００７７】
そして、壁紙画像データ格納部１２から壁紙画像データを読み出して、面積の広い壁紙配置領域から順に各壁紙画像データの順番に応じて壁紙画像データ（ここでは電子メールのデータ）を配置する場所を決定し、図７（ｅ）に示すように、壁紙配置領域ごとに、配置することが決定された電子メールのデータの件名と本文とを配置する領域をさらに決定する。また、配置することが決定された電子メールに添付の画像データがあった場合には、図７（ｆ）に示すように、添付の画像データに対応する画像を配置する領域をさらに決定する（上述のステップＳ１３に対応）。
【００７８】
続いて、決定された配置に従って、電子メールのデータの件名、本文、添付の画像などが壁紙配置領域に実際に配置され、図７（ｇ）に示すように、壁紙画像が生成される。
【００７９】
最後に、図７（ｈ）は、生成された壁紙画像の表示を行っている携帯電話機の表示画面を示したものである。図７（ｈ）に示すように、アイコン、日時の表示に対して表示が重ならないように、壁紙画像の表示が表示画面上で行われている。
【００８０】
なお、本実施の形態では、電子メールのデータを壁紙画像データとした場合の構成について説明を行ったが、必ずしもこれに限らず、電子新聞、電子雑誌などの情報誌データを壁紙画像データとして同様の処理を行い、壁紙画像を生成する構成であってもよい。
【００８１】
次に、壁紙画像生成部１５での、表示画面レイアウト情報を含む情報に基づいて、アイコン、日時などの表示が行われている表示画面上の領域を求める処理のアルゴリズムについて、図８（ａ）ないし図９を用いて説明を行う。図８（ａ）は、表示画面上のアイコン、日時などの表示が行われている領域としてみなす領域の一例を示す図である。図８（ｂ）は、アイコンなどの表示が行われている領域としてみなす領域の範囲の一例を示す図である。また、図９は、表示画面上のアイコン、日時などの表示が行われている領域としてみなす領域を求める処理のフローの一例である。
【００８２】
ここでは、ｎはアイコンなどの数とする。また、Ｘ（ｎ）は、表示画面レイアウト情報を含む情報から求められる、実際に各アイコンなどが表示されている領域とする。さらに、δ（ｎ）は、各アイコンなどが表示されているとみなす領域とする。δ（ｎ）は、図８（ｂ）で網がけを行っている領域に該当し、実際に各アイコンなどが表示されている領域よりも所定の値だけ広い範囲に該当する。なお、上記所定の値は任意に設定可能な値である。そして、Ｚ（ｍ）は、アイコンなどの表示が行われている領域としてみなす領域のうちの１つであり、ｍはアイコンなどの表示が行われている領域としてみなす領域の数とする。
【００８３】
まず、ステップＳ２１では、ｎ＝１として、１つ目のアイコンなどが表示されている領域Ｘ（１）に基づいてＺ（１）を設定する。Ｚ（１）は、Ｘ（１）＋δ（１）によって求められる。
【００８４】
続いて、ステップＳ２２では、２つ目（ｎ個目）のアイコンなどが表示されている領域Ｘ（２）（Ｘ（ｎ））の表示画面レイアウト情報を取得し、ステップＳ２３に移る。ステップＳ２３では、Ｘ（２）とＺ（１）との間の間隔（Ｘ（ｎ）とＺ（ｍ）との間の間隔）が所定の閾値以下であった場合（ステップＳ２３でＹｅｓ）には、ステップＳ２４に移る。また、Ｘ（２）とＺ（１）との間の間隔（Ｘ（ｎ）とＺ（ｍ）との間の間隔）が所定の閾値以下でなかった場合（ステップＳ２３でＮｏ）には、ステップＳ２６に移る。なお、上記所定の閾値以下とは、Ｘ（ｎ）にδ（ｎ）を加えた場合に、Ｘ（ｎ）＋δ（ｎ）の領域がＺ（ｍ）の領域と重なる間隔のことである。
【００８５】
ステップＳ２４では、Ｘ（２）とＺ（１）との間の間隔（Ｘ（ｎ）とＺ（ｍ）との間の間隔）に壁紙画像データを配置するだけの余地がないものとして、Ｚ（１）にＸ（２）を加えて新たなＺ（１）とする（Ｚ（ｍ）にＸ（ｎ）を加えて新たなＺ（ｍ）とする）。なお、新たなＺ（ｍ）は、それまでのＺ（ｍ）＋Ｘ（ｎ）＋δ（ｎ）によって求められる。
【００８６】
続いて、ステップＳ２５では、Ｚ（ｍ）の設定に用いる次のアイコンなどが表示されている領域が残っていない（すべてのＺ（ｍ）の設定が終了している）場合（ステップＳ２５でＹｅｓ）には、フローを終了する。また、Ｚ（ｍ）の設定に用いる次のアイコンなどが表示されている領域が残っている場合（ステップＳ２５でＮｏ）には、ステップＳ２２に移って、残りのＸ（ｎ）について同様のフローを繰り返す。
【００８７】
また、ステップＳ２６では、Ｚ（２）の設定（次のＺ（ｍ）の設定）に変更し、ステップＳ２７に移る。ステップＳ２７では、Ｚ（２）がすでに設定されていた（次のＺ（ｍ）がすでに設定されていた）場合（ステップＳ２７でＹｅｓ）には、ステップＳ２３に移って、Ｚ（２）（次のＺ（ｍ））について同様のフローを繰り返す。また、Ｚ（２）がまだ設定されていなかった（次のＺ（ｍ）がまだ設定されていなかった）場合（ステップＳ２７でＮｏ）には、ステップＳ２８に移る。
【００８８】
そして、ステップＳ２８では、Ｘ（２）に基づいてＺ（２）を設定する（Ｘ（ｎ）に基づいて次のＺ（ｍ）を設定する）。そして、ステップＳ２２に移って、残りのＸ（ｎ）について同様のフローを繰り返す。
【００８９】
上述の処理によって、表示画面上のアイコン、日時などの表示が行われている領域のうち、お互いの間隔が上記所定の閾値以下のものがまとめられ、表示画面上のアイコン、日時などの表示が行われている領域のすべてが、例えば、図８（ａ）のＺ（１）〜Ｚ（４）で示されるようにまとめられることになる。
【００９０】
次に、壁紙画像生成部１５での、空き領域を求める処理のアルゴリズムについて図１０および図１１を用いて説明を行う。図１０は、空き領域を求める処理を説明するための模式図である。図１１は、空き領域を求める処理のフローの一例である。
【００９１】
ここでは、Ｙ（ｎ）は表示画面の縦の画素数を複数個に区分した数とする。なお、Ｙ（ｎ）は表示画面の最上端の画素数を１とするものとし、例えば、Ｙ（１）が画素数１〜１０までに対応し、Ｙ（２）が画素数１１〜２０までに対応するといったように区分するものである。また、Ａ（ｉ）は、空き領域とする候補の領域（候補領域）とする。なお、ｉは空き領域の数である。さらに、Ｄ（ｊ）は、空き領域とせず、削除する領域（削除対象領域）とする。なお、ｊは削除対象領域の数である。
【００９２】
まず、ステップＳ３１では、図９で説明を行った処理で求めたアイコン、日時の表示が行われている表示画面上の領域に基づいて、候補領域Ａ（ｉ）を決定し、ステップＳ３２に移る。例えば、表示画面上に候補領域が２つに分かれて存在する場合には、候補領域はＡ（１）、Ａ（２）となる。
【００９３】
ステップＳ３２では、位置Ｙ（ｎ）での横方向の間隔が所定の閾値以下の領域を判定する。図１０を用いて具体的な例を示すと、斜線の領域の横幅が所定の閾値以下であるものとした場合、位置Ｙでの斜線の領域の横幅が所定の閾値以下であるので、斜線の領域が削除対象領域となる。なお、上記所定の閾値とは、画像データを配置した場合のユーザからの読みやすさに応じて設定されるものであって、任意に設定可能な値である。
【００９４】
続いて、ステップＳ３３では、位置Ｙ（ｎ）で削除対象領域として判定されたものがあった場合（ステップＳ３３でＹｅｓ）には、ステップＳ３４に移る。また、位置Ｙ（ｎ）で削除対象領域として判定されたものがなかった場合（ステップＳ３３でＮｏ）には、ステップＳ３７に移る。
【００９５】
ステップＳ３４では、位置Ｙ（ｎ）よりも１つ前の位置Ｙ（ｎ−１）でも削除対象領域として判定されていた場合（ステップＳ３４でＹｅｓ）には、ステップＳ３５に移る。また、位置Ｙ（ｎ）よりも１つ前の位置Ｙ（ｎ−１）では削除対象領域として判定されていなかった場合（ステップＳ３４でＮｏ）には、ステップＳ３６に移る。
【００９６】
ステップＳ３５では、すでに存在する削除対象領域Ｄ（ｊ）に位置Ｙ（ｎ）で削除対象領域として判定された領域を加え、ステップＳ３７に移る。また、ステップＳ３６では、位置Ｙ（ｎ）で削除対象領域として判定された領域を新たな削除対象領域Ｄ（ｊ）として追加し、ステップＳ３７に移る。
【００９７】
ステップＳ３７では、位置Ｙ（ｎ）が表示画面上の最下端の位置であった場合（ステップＳ３７でＹｅｓ）には、ステップＳ３８に移る。また、位置Ｙ（ｎ）が表示画面上の最下端の位置でなかった場合（ステップＳ３７でＮｏ）には、ステップＳ３２に移って、ｎの値を１増やしてフローを繰り返す。
【００９８】
続いて、ステップＳ３８では、削除対象領域Ｄ（ｊ）のすべてについて、削除可能か否か（所定の閾値以下か否か）を判定して、所定の閾値以下の削除対象領域Ｄ（ｊ）を候補領域Ａ（ｉ）から削除し、ステップＳ３９に移る。ステップＳ３９では、Ａ（ｉ）を空き領域として決定し、フローを終了する。なお、ここで言うところの所定の閾値とは任意に設定される値であって、例えばステップＳ３８では、削除対象領域Ｄ（ｊ）の横幅と所定の閾値との比較をすることによって判定を行い、所定の閾値以下の削除対象領域Ｄ（ｊ）を候補領域Ａ（ｉ）から削除するものとする。
【００９９】
なお、本実施の形態では、縦方向に１画素ずつ、ずらしながら削除対象領域の判定を行う構成を示したが、必ずしもこれに限らず、例えば横方向に１画素ずつ、ずらしながら削除対象領域の判定を行う構成であってもよい。
【０１００】
次に、壁紙画像生成部１５での、空き領域を複数の領域（壁紙配置領域）に分割する処理のアルゴリズムについて図１２〜図１３（ｄ）を用いて説明を行う。図１２は、空き領域を複数の領域に分割する処理のフローの一例である。図１３（ａ）〜図１３（ｄ）は、壁紙画像生成部１５での空き領域を複数の領域に分割する処理の概要を示す模式図である。
【０１０１】
ここでは、ｉは空き領域を格子状に分割した数とする。ｊは壁紙画像として表示すべき壁紙画像データの数とする。Ｑ（ｉ）は空き領域を格子状に分割したうちの１つの領域とする。Ｐ（ｊ）は壁紙画像として表示すべき壁紙画像データの重要度（優先度）とし、例えば上述の優先度付与部１８によって壁紙画像データごとに設定（付与）されるものとする。さらに、Ｌは、空き領域を格子状に分割した領域のうち、壁紙画像として表示すべき壁紙画像データごとに割り振られる領域の数（格子数）とする。そして、Ｅ（ｋ）は、壁紙画像データを配置する領域として振り分けられる領域とする。なお、ｋは自然数とする。なお、図１３（ａ）〜図１３（ｄ）では、例えばｊを７とし、Ｌをすべて３とした場合の例を示している。
【０１０２】
まず、ステップＳ４１では、図１３（ａ）に示すような空き領域を図１３（ｂ）に示すように格子状に分割し、複数のＱ（ｉ）を得てステップＳ４２に移る。ステップＳ４２では、壁紙画像として表示すべき壁紙画像データごとの優先度Ｐ（ｊ）を取得し、ステップＳ４３に移る。ステップＳ４３では、上記優先度Ｐ（ｊ）に基づいて、空き領域を格子状に分割した領域のうち、壁紙画像として表示すべき壁紙画像データごとに割り振られる領域の数（格子数）Ｌを決定する。なお、ステップＳ４３では、優先度Ｐ（ｊ）に基づき、Ｌのみならず各Ｅ（ｋ）の格子数も決定する。
【０１０３】
続いて、ステップＳ４４では、Ｑ（ｉ）に基づいてＥ（ｋ）を設定する。Ｅ（ｋ）は、Ｅ（ｋ）がすでに設定されている場合には、すでに設定されているＥ（ｋ）にＱ（ｉ）を加えることによって新たに設定することになる。また、例えばｉ＝１の場合は、すでに設定されているＥ（ｋ）がないので、Ｑ（１）に基づいてＥ（１）を設定することになる。すなわち、Ｑ（１）を暫定的にＥ（１）とする。
【０１０４】
さらに、ステップＳ４５では、対象とする壁紙画像データに割り振られた領域のすべてについてＥ（ｋ）の設定が終了していた場合（ステップＳ４５でＹｅｓ）には、ステップＳ４６に移る。また、対象とする壁紙画像データに割り振られた領域のすべてについてのＥ（ｋ）の設定が終了していなかった場合（ステップＳ４５でＮｏ）には、ステップＳ４９に移る。
【０１０５】
ステップＳ４６では、設定されたＥ（ｋ）を、対象とする壁紙画像データについてのＥ（ｋ）として決定（確定）し、ステップＳ４７に移る。ステップＳ４７では、壁紙画像として表示すべき壁紙画像データのすべてについて、図１３（ｃ）に示すように、Ｅ（ｋ）の設定が確定（終了）していた場合（ステップＳ４７でＹｅｓ）には、図１３（ｄ）に示すように、空き領域のうちから、Ｅ（ｋ）として確定した領域のみを壁紙画像データを配置する領域（壁紙配置領域）として残し、フローを終了する。また、壁紙画像として表示すべき壁紙画像データのすべてについてのＥ（ｋ）の設定が確定（終了）していなかった場合（ステップＳ４７でＮｏ）には、ステップＳ４８に移る。ステップ
Ｓ４８では、残りの（次の）壁紙画像として表示すべき壁紙画像データについてのＥ（ｋ）の設定（Ｅ（ｋ+１）の設定）に変更し、ステップＳ４４に移ってフローを繰り返す。
【０１０６】
なお、図１３（ｃ）に示す例では、格子が横方向のみに加算され、Ｅ（ｋ）が決定される構成を示したが、必ずしもこれに限らない。例えば、縦方向にも加算される構成であってもよく、縦×２＋横×３のＥ（ｋ）が設定される構成などであってもよい。
【０１０７】
また、ステップＳ４９では、Ｑ（ｉ）にＱ（ｉ+１）が隣接している場合（ステップＳ４９でＹｅｓ）には、ステップＳ５０に移る。また、Ｑ（ｉ）にＱ（ｉ+１）が隣接していない場合（ステップＳ４９でＮｏ）には、ステップＳ５１に移る。
【０１０８】
ステップＳ５０では、Ｑ（ｉ）のｉの数を１増やしてステップＳ４４に移り、フローを繰り返す。また、ステップＳ５１では、Ｅ（ｋ）を壁紙画像データを配置する領域（壁紙配置領域）から削除し、Ｅ（ｋ）のｋの数を１増やすとともに、Ｑ（ｉ）のｉの数を１増やしてステップＳ４４に移り、フローを繰り返す。
【０１０９】
〔実施の形態２〕
本発明の他の実施の形態について図１４および図１５に基づいて説明すれば、以下の通りである。なお、本実施の形態において説明すること以外の構成は、前記実施の形態１と同じである。また、説明の便宜上、前記の実施の形態１の図面に示した部材と同一の機能を有する部材については、同一の符号を付し、その説明を省略する。
【０１１０】
本実施の形態の壁紙画像表示システム（表示システム）１ａは、前記実施の形態１の壁紙画像表示システム１に対して、壁紙画像の生成を行う部材を情報処理装置側でなく、サーバ装置側に備えている点が異なっている。
【０１１１】
最初に、図１４を用いて、壁紙画像表示システム１ａの構成の概要について説明を行う。図１４は、本実施の形態における壁紙画像表示システム１ａの概略的構成を示す図である。
【０１１２】
本実施の形態における壁紙画像表示システム１ａは、お互い通信可能なサーバ装置２ａおよび情報処理装置３ａを備えているものである。なお、サーバ装置２ａと情報処理装置３ａとの間での通信はネットワークを介する通信であってもよいし、ネットワークを介さない通信であってもよい。また、情報処理装置３ａとしては、例えば、本発明を適用した携帯電話機、ＰＤＡ（Personal Digital Assistant）などの携帯情報端末機、テレビ、パソコン（ＰＣ）、またはＳＴＢ(Set Top Box)等の、画面にデジタル情報を表示する機器などがある。
【０１１３】
壁紙画像表示システム１ａのサーバ装置２ａは、図１４に示すように、壁紙画像生成部（表示情報生成手段）１５ａ、ならびにサーバ装置側データ受信部（第２受信手段）３１ａおよびサーバ装置側データ送信部（表示データ送信手段）３２ａを含むサーバ装置側通信部３０ａを備えている。また、壁紙画像表示システム１ａの情報処理装置３ａは、図１４に示すように、情報処理装置側データ受信部２１ａおよび情報処理装置側データ送信部２２ａを含む情報処理装置側通信部（表示情報生成データ取得手段）１１ａ、壁紙画像データ格納部１２、トリガ検出部（トリガ検出手段）１３、表示関連情報収集部（属性情報収集手段）１４、画像表示部１６、操作入力部１７、優先度付与部（優先度付与手段）１８、再レイアウト確認部（提示手段）１９、および再レイアウト指示検出部（表示情報変更指示検出手段）２０を備えている。
【０１１４】
まず、情報処理装置側通信部１１ａは、サーバ装置２ａとの間での通信を行うものである。そして、情報処理装置側データ送信部２２ａは、表示関連情報収集部１４で収集した情報（属性情報、少なくとも表示画面レイアウト情報を含む情報）および壁紙画像データ格納部１２に格納されている壁紙画像データを通信用の送信データに変換してサーバ装置２ａに送信するものである。なお、情報処理装置３ａからサーバ装置２ａに送信する壁紙画像データは、壁紙画像データ格納部１２に格納されている全ての壁紙画像データであってもよいし、壁紙画像データ格納部１２に格納されている壁紙画像データのうちの一部であってもよい。
【０１１５】
続いて、サーバ装置側通信部３０ａは、情報処理装置３ａとの間での通信を行うものである。そして、サーバ装置側データ受信部３１ａは、情報処理装置側データ送信部２２ａから送信されてきた、少なくとも表示画面レイアウト情報を含む情報および壁紙画像データの送信データを受信し、送信データを少なくとも表示画面レイアウト情報を含む情報および壁紙画像データに変換して壁紙画像生成部１５ａに送るものである。なお、ここでは、送信された壁紙画像データは、サーバ装置２ａ側の図示しない一時保存メモリに格納されるものとする。
【０１１６】
壁紙画像生成部１５ａは、壁紙画像生成部１５と同様にして、少なくとも表示画面レイアウト情報を含む情報に基づいて、表示画面上で壁紙画像を表示する領域（壁紙配置領域）を求めるものである。また、壁紙配置領域を求めた後に、上記一時保存メモリから壁紙画像データを読み出し、読み出した壁紙画像データが壁紙配置領域に収まるようにレイアウトを行い、壁紙画像を生成するものである。なお、壁紙画像生成部１５ａは、生成した壁紙画像を画像表示部１６で表示させるための表示データをサーバ装置側通信部３０ａに送るものである。
【０１１７】
サーバ装置側通信部３０ａのサーバ装置側データ送信部３２ａは、壁紙画像生成部１５ａから送られてきた表示データを、通信用の送信データに変換して情報処理装置３ａに送信するものである。そして、情報処理装置側通信部１１ａの情報処理装置側データ受信部２１ａは、サーバ装置側データ送信部３２ａから送信されてきた表示データの送信データを受信し、送信データを表示データに変換して画像表示部１６に送り、壁紙画像生成部１５ａで生成した壁紙画像を、画像表示部１６で表示させるものである。
【０１１８】
次に、図１５を用いて、壁紙画像表示システム１ａに含まれるサーバ装置２ａと情報処理装置３ａとの間でのデータの流れについての説明を行う。図１５は、サーバ装置２ａと情報処理装置３ａとの間でのデータの流れの一例を示す図である。
【０１１９】
まず、情報処理装置３ａ側のトリガ検出部１３がトリガを検出する。続いて、表示関連情報収集部１４が、表示画面レイアウト情報、色情報を含む表示関連情報、現在位置情報、現在日時情報などの情報を情報処理装置３ａから収集するとともに、壁紙画像データ格納部１２から壁紙画像データを読み出す。そして、表示関連情報収集部１４が収集した情報（少なくとも表示画面レイアウト情報を含む情報）および壁紙画像データを、情報処理装置側データ送信部２２ａがサーバ装置２ａに送る。
【０１２０】
また、サーバ装置２ａ側では、サーバ装置側データ受信部３１ａが、少なくとも表示画面レイアウト情報を含む情報および壁紙画像データを受信する。続いて、壁紙画像生成部１５ａが、少なくとも表示画面レイアウト情報を含む情報に基づいて、壁紙配置領域を求め、壁紙配置領域を求めた後に、上述の一時保存メモリから壁紙画像データを読み出し、読み出した壁紙画像データが壁紙配置領域に収まるようにレイアウトを行い、壁紙画像を生成する。そして、壁紙画像生成部１５ａが生成した壁紙画像を画像表示部１６で表示させるための表示データをサーバ装置側データ送信部３２ａが情報処理装置３ａに送る。
【０１２１】
さらに、情報処理装置３ａ側では、情報処理装置側データ受信部２１ａが表示データを受信する。そして、壁紙画像生成部１５ａで生成した壁紙画像を、画像表示部１６が表示する。
【０１２２】
なお、本実施の形態では、壁紙画像生成部１５ａが、壁紙配置領域を求めた後に、サーバ装置２ａ側の一時保存メモリから壁紙画像データを読み出してレイアウトを行う構成を示したが、必ずしもこれに限らない。例えば、壁紙画像生成部１５ａが、壁紙配置領域を求めた後に、サーバ装置側通信部３０ａおよび情報処理装置側通信部１１ａを介して壁紙画像データ格納部１２から壁紙画像データを読み出してレイアウトを行う構成であってもよい。
【０１２３】
〔実施の形態３〕
本発明の他の実施の形態について図１６ないし図２０に基づいて説明すれば、以下の通りである。なお、本実施の形態において説明すること以外の構成は、前記実施の形態１および前記実施の形態２と同じである。また、説明の便宜上、前記の実施の形態１または前記実施の形態２の図面に示した部材と同一の機能を有する部材については、同一の符号を付し、その説明を省略する。
【０１２４】
本実施の形態の壁紙画像表示システム（表示システム）１ｂは、前記実施の形態１の壁紙画像表示システム１に対して、壁紙画像の生成を行う部材を情報処理装置側でなく、サーバ装置側に備えている点が異なっている。また、本実施の形態の壁紙画像表示システム１ｂは、前記実施の形態１の壁紙画像表示システム１に対して、壁紙画像データを格納している部材を情報処理装置側に備えず、サーバ装置側に備えている点が異なっている。
【０１２５】
最初に、図１６を用いて、壁紙画像表示システム１ｂの構成の概要について説明を行う。図１６は、本実施の形態における壁紙画像表示システム１ｂの概略的構成を示す図である。
【０１２６】
本実施の形態における壁紙画像表示システム１ｂは、お互い通信可能なサーバ装置２ｂおよび情報処理装置３ｂを備えているものである。なお、サーバ装置２ｂと情報処理装置３ｂとの間での通信はネットワークを介する通信であってもよいし、ネットワークを介さない通信であってもよい。また、情報処理装置３ｂとしては、例えば、本発明を適用した携帯電話機、ＰＤＡ（Personal Digital Assistant）などの携帯情報端末機、テレビ、パソコン（ＰＣ）、またはＳＴＢ(Set Top Box)等の、画面にデジタル情報を表示する機器などがある。
【０１２７】
壁紙画像表示システム１ｂのサーバ装置２ｂは、図１６に示すように、壁紙画像データ格納部１２ｂ、壁紙画像生成部（表示情報生成手段）１５ｂ、ならびにサーバ装置側データ受信部（第１受信手段）３１ｂおよびサーバ装置側データ送信部（表示データ送信手段）３２ｂを含むサーバ装置側通信部３０ｂを備えている。また、壁紙画像表示システム１ｂの情報処理装置３ｂは、図１６に示すように、情報処理装置側データ受信部２１ｂおよび情報処理装置側データ送信部２２ｂを含む情報処理装置側通信部１１ｂ、トリガ検出部（トリガ検出手段）１３、表示関連情報収集部（属性情報収集手段）１４、画像表示部１６、操作入力部１７、優先度付与部（優先度付与手段）１８、再レイアウト確認部（提示手段）１９、および再レイアウト指示検出部（表示情報変更指示検出手段）２０を備えている。
【０１２８】
まず、情報処理装置側通信部１１ｂは、サーバ装置２ｂとの間での通信を行うものである。そして、情報処理装置側データ送信部２２ｂは、表示関連情報収集部１４で収集した情報（属性情報、少なくとも表示画面レイアウト情報を含む情報）を通信用の送信データに変換してサーバ装置２ｂに送信するものである。
【０１２９】
続いて、サーバ装置側通信部３０ｂは、情報処理装置３ｂとの間での通信を行うものである。そして、サーバ装置側データ受信部３１ｂは、情報処理装置側データ送信部２２ｂから送信されてきた、少なくとも表示画面レイアウト情報を含む情報の送信データを受信し、送信データを少なくとも表示画面レイアウト情報を含む情報に変換して壁紙画像生成部１５ｂに送るものである。
【０１３０】
壁紙画像生成部１５ｂは、壁紙画像生成部１５と同様にして、少なくとも表示画面レイアウト情報を含む情報に基づいて、表示画面上で壁紙画像を表示する領域（壁紙配置領域）を求めるものである。また、壁紙配置領域を求めた後に、壁紙画像データ格納部１２ｂから壁紙画像データを読み出し、読み出した壁紙画像データが壁紙配置領域に収まるようにレイアウトを行い、壁紙画像を生成するものである。なお、壁紙画像生成部１５ｂは、生成した壁紙画像を画像表示部１６で表示させるための表示データをサーバ装置側通信部３０ｂに送るものである。
【０１３１】
サーバ装置側通信部３０ｂのサーバ装置側データ送信部３２ｂは、壁紙画像生成部１５ａから送られてきた表示データを、通信用の送信データに変換して情報処理装置３ｂに送信するものである。そして、情報処理装置側通信部１１ｂの情報処理装置側データ受信部２１ｂは、サーバ装置側データ送信部３２ｂから送信されてきた表示データの送信データを受信し、送信データを表示データに変換して画像表示部１６に送り、壁紙画像生成部１５ｂで生成した壁紙画像を、画像表示部１６で表示させるものである。
【０１３２】
次に、図１７を用いて、壁紙画像表示システム１ｂに含まれるサーバ装置２ｂと情報処理装置３ｂとの間でのデータの流れについての説明を行う。図１７は、サーバ装置２ｂと情報処理装置３ｂとの間でのデータの流れの一例を示す図である。
【０１３３】
まず、情報処理装置３ｂ側のトリガ検出部１３がトリガを検出する。続いて、表示関連情報収集部１４が、表示画面レイアウト情報、色情報を含む表示関連情報、現在位置情報、現在日時情報などの情報を情報処理装置３ｂから収集する。そして、表示関連情報収集部１４が収集した情報（少なくとも表示画面レイアウト情報を含む情報）を、情報処理装置側データ送信部２２ｂがサーバ装置２ｂに送る。
【０１３４】
また、サーバ装置２ｂ側では、サーバ装置側データ受信部３１ｂが、少なくとも表示画面レイアウト情報を含む情報を受信する。続いて、壁紙画像生成部１５ｂが、少なくとも表示画面レイアウト情報を含む情報に基づいて、壁紙配置領域を求め、壁紙配置領域を求めた後に、壁紙画像データ格納部１２ｂから壁紙画像データを読み出し、読み出した壁紙画像データが壁紙配置領域に収まるようにレイアウトを行い、壁紙画像を生成する。そして、壁紙画像生成部１５ａが生成した壁紙画像を画像表示部１６で表示させるための表示データをサーバ装置側データ送信部３２ｂが情報処理装置３ｂに送る。
【０１３５】
さらに、情報処理装置３ｂ側では、情報処理装置側データ受信部２１ｂが表示データを受信する。そして、壁紙画像生成部１５ｂで生成した壁紙画像を、画像表示部１６が表示する。
【０１３６】
なお、本実施の形態では、壁紙画像の生成を行う部材である壁紙画像生成部１５ｂと壁紙画像データを格納している部材である壁紙画像データ格納部１２ｂとを１つのサーバ装置２ｂに備える構成について示したが、必ずしもこれに限らない。例えば、図１８に示すように、壁紙画像の生成を行う部材と壁紙画像データを格納している部材とを、それぞれ異なるサーバ装置２ｂとサーバ装置５とに別々に備える構成であってもよい。
【０１３７】
以下では、図１８を用いて、壁紙画像の生成を行う部材と壁紙画像データを格納している部材とを、それぞれ異なるサーバ装置２ｂとサーバ装置５とに別々に備える壁紙画像表示システム１ｃについての説明を行う。
【０１３８】
本実施の形態における壁紙画像表示システム（壁紙画像表示システム）１ｃは、サーバ装置２ｃ、情報処理装置３ｂ、およびサーバ装置５を備えており、サーバ装置２ｃと情報処理装置３ｂとの間、およびサーバ装置２ｃとサーバ装置５との間で通信可能になっているものである。なお、サーバ装置２ｃと情報処理装置３ｂとの間、およびサーバ装置２ｃとサーバ装置５との間での通信はネットワークを介する通信であってもよいし、ネットワークを介さない通信であってもよい。
【０１３９】
壁紙画像表示システム１ｃのサーバ装置２ｃは、図１８に示すように、壁紙画像生成部（壁紙画像生成手段）１５ｃ、ならびにサーバ装置側データ受信部（第３受信手段）３１ｃおよびサーバ装置側データ送信部（表示データ送信手段）３２ｃを含む第１サーバ装置側通信部３０ｃを備えている。また、壁紙画像表示システム１ｂのサーバ装置５は、図１８に示すように、壁紙画像データ格納部１２ｃおよび第２サーバ装置側通信部４０を備えている。
【０１４０】
まず、サーバ装置５の第２サーバ装置側通信部４０は、壁紙画像データ格納部１２ｃに格納されている壁紙画像データを通信用の送信データに変換してサーバ装置２ｃに送信するものである。なお、サーバ装置５からサーバ装置２ｃに送信する壁紙画像データは、壁紙画像データ格納部１２ｃに格納されている全ての壁紙画像データであってもよいし、壁紙画像データ格納部１２ｃに格納されている壁紙画像データのうちの一部であってもよい。
【０１４１】
また、第１サーバ装置側通信部３０ｃは、情報処理装置３ｂまたはサーバ装置５との間での通信を行うものである。そして、サーバ装置側データ受信部３１ｃは、情報処理装置側データ送信部２２ｂから送信されてきた、少なくとも表示画面レイアウト情報を含む情報の送信データを受信し、送信データを少なくとも表示画面レイアウト情報を含む情報に変換して壁紙画像生成部１５ｃに送るものである。さらに、サーバ装置側データ受信部３１ｃは、第２サーバ装置側通信部４０から送信されてきた、壁紙画像データの送信データを受信し、送信データを壁紙画像データに変換し、サーバ装置２ｃ側の図示しない一時保存メモリに送って格納させるものである。
【０１４２】
続いて、壁紙画像生成部１５ｃは、壁紙画像生成部１５と同様にして、少なくとも表示画面レイアウト情報を含む情報に基づいて、表示画面上で壁紙画像を表示する領域（壁紙配置領域）を求めるものである。また、壁紙配置領域を求めた後に、上記一時保存メモリから壁紙画像データを読み出し、読み出した壁紙画像データが壁紙配置領域に収まるようにレイアウトを行い、壁紙画像を生成するものである。なお、壁紙画像生成部１５ｃは、生成した壁紙画像を画像表示部１６で表示させるための表示データを第１サーバ装置側通信部３０ｃに送るものである。そして、第１サーバ装置側通信部３０ｃのサーバ装置側データ送信部３２ｃは、壁紙画像生成部１５ｃから送られてきた表示データを、通信用の送信データに変換して情報処理装置３ｂに送信するものである。
【０１４３】
また、サーバ装置２と情報処理装置３との間、サーバ装置２ａと情報処理装置３ａとの間、サーバ装置２ｂと情報処理装置３ｂとの間、サーバ装置２ｃと情報処理装置３ｂとの間、およびサーバ装置２ｃとサーバ装置５との間でデータを送受信する方法としては、携帯電話網、無線ＬＡＮ、Ｂｌｕｅｔｏｏｔｈ、赤外線等の無線によるものであってもよいし、ＵＳＢ等の有線によるものであってもよい。
【０１４４】
なお、本実施の形態では、表示画面上のアイコンなどが表示される領域に壁紙画像を表示させない構成を示したが、必ずしもこれに限らない。例えば、表示画面上のアイコンなどが表示される領域に、重要度（優先度）の低い壁紙画像データが配置されるように壁紙画像を生成する構成であってもよい。すなわち、表示画面上のアイコンなどが表示される領域に重要度の低い壁紙画像データに対応する壁紙画像の領域を重ねて表示させる構成であってもよい。
【０１４５】
これについて、図１９（ａ）〜図１９（ｄ）を用いて説明を行う。図１９（ａ）〜図１９（ｄ）は、壁紙画像生成部１５・１５ａ・１５ｂ・１５ｃでの空き領域を複数の領域に分割する処理の概要を示す模式図である。
【０１４６】
具体的には、表示画面上のアイコン、日時などの表示が行われている領域についても、図１９（ａ）に示すように空き領域とし、図１９（ａ）に示すような空き領域を図１９（ｂ）に示すように格子状に分割する。なお、図１９（ｂ）中の斜線の部分は、表示画面上のアイコン、日時などの表示が行われている領域を表している。
【０１４７】
続いて、壁紙画像として表示すべき壁紙画像データごとの優先度（優先度付与部１８によって付与された優先度情報、サーバ装置２・２ａ・２ｂ・２ｃ側で情報誌データに予め付与されていた優先度情報）に基づいて、空き領域を格子状に分割した領域のうち、壁紙画像として表示すべき壁紙画像データごとに割り振られる領域の数（格子数）を決定する。そして、図１９（ｃ）に示すように、付与されている優先度情報の高い壁紙画像データについては、表示画面上のアイコン、日時などの表示が行われていない領域に配置する。また、図１９（ｄ）に示すように、付与されている優先度情報の低い壁紙画像データについては、表示画面上のアイコン、日時などの表示が行われている領域（図１９（ｄ）の斜線の部分）に配置する。ここで言うところの優先度の高低は、任意に設定可能なものである。
【０１４８】
なお、本実施の形態では、表示画面上のアイコン、日時などの表示に対して、壁紙画像データの件名、見出し等のタイトルが重ならないように配置させる構成であってもよい。また、図２０に示すように、表示画面レイアウト情報のうちのアイコン、日時などの表示領域に対して、重要度を付与することによって、付与されている重要度に応じて壁紙画像データを配置する構成であってもよい。また、ここで言うところの重要度とは、壁紙画像データを配置する場合の優先順位を示すものであって、任意に設定可能なものである。なお、重要度の高い表示領域には、より優先順位の高い壁紙画像データを配置するものとし、アイコン、日時などの表示領域は、アイコン、日時などの表示されていない領域に比べて重要度が低いものとする。例えば、電子メールをもとに壁紙画像を作成する場合には、電子メールのタイトルに対応する壁紙画像データをアイコン、日時などの表示されていない領域に配置し、電子メールに添付されていた画像に対応する壁紙画像データをアイコン、日時などの表示領域のうち、重要度のより低い表示領域に配置し、電子メールの本文のうち優先順位のより低いものに対応する壁紙画像データを、アイコン、日時などの表示領域のうち、重要度のより高い表示領域に配置するようにしてもよい。
【０１４９】
以上の構成によれば、重要度の低い壁紙画像データに対応する壁紙画像の領域がアイコンなどの表示で遮られるのに対して、重要度の高い壁紙画像データに対応する壁紙画像の領域がアイコンなどの表示で遮られない。従って、目的とする箇所をアイコンなどの表示で遮られることなく観賞することが可能になる。
【０１５０】
また、本実施の形態では、表示関連情報のうち、表示画面に表示されているアイコンの色の情報、表示画面に表示されている日時の色の情報等の色情報に基づいて、アイコン、日時の表示などに隣接または重なって配置される壁紙画像データの色が当該アイコン、日時の表示の色と同系色であった場合に、当該アイコン、日時の表示の色を同系色以外の色に変更する構成であってもよい。
【０１５１】
これにより、お互いが隣接または重なって配置される壁紙画像データとアイコン、日時などの表示との色が同系色にならないので、お互いが隣接または重なって配置される壁紙画像データとアイコン、日時などの表示との色が同系色であることによってアイコン、日時などの表示が見えにくくなることを防ぐことができる。
【０１５２】
また、本発明の壁紙画像生成装置４は、画像を表示させる表示画面の最下位の階層に表示させる画像である壁紙画像を生成する壁紙画像生成装置であって、上記壁紙画像の生成に用いる壁紙画像データが格納されている壁紙画像データ格納部１２・１２ｂ・１２ｃと、上記表示画面の最下位の階層よりも上位の階層に表示される画像の、上記表示画面上での配置に関する情報であるレイアウト情報を少なくとも含む情報を収集する表示関連情報収集部１４と、上記レイアウト情報を少なくとも含む情報に応じて、上記壁紙画像データの配置を決めるとともに、上記壁紙画像データ格納部１２・１２ｂ・１２ｃから壁紙画像データを読み出し、壁紙画像を生成する壁紙画像生成部１５・１５ａ・１５ｂ・１５ｃとを備える構成であってもよい。
【０１５３】
なお、本実施の形態では、壁紙画像生成装置４が壁紙画像データ格納部１２を備える構成を示したが、必ずしもこれに限らず、壁紙画像生成装置４が壁紙画像データ格納部１２を備えない構成であってもよい。この場合、壁紙画像データを外部の記憶装置、サーバ装置２・２ａ・２ｂ・２ｃ、サーバ装置５、またはその他のサーバ装置などから情報処理装置側通信部１１・１１ａで取得する構成とすればよい。
【０１５４】
また、本実施の形態では、表示画面の最下位の階層に表示させる背景画像を壁紙画像とする場合を例として説明しているが、必ずしもこれに限らず、例えば表示画面の所定の階層に表示させる画像を壁紙画像としてもよい。
【０１５５】
なお、本実施の形態では、背景画像として壁紙画像を表示画面に表示する場合を例として説明しているが、必ずしもこれに限らず、例えば壁紙画像に相当するテキストを表示画面に表示する構成であってもよい。
【０１５６】
また、本実施の形態では、優先度付与部１８が情報処理装置３・３ａ・３ｂ・３ｃに備えられている構成を示したが、必ずしもこれに限らず、例えばサーバ装置２ａ・２ｂ・２ｃまたはサーバ装置５に優先度付与部１８を備え、情報処理装置３・３ａ・３ｂ・３ｃの場合と同様にして壁紙画像データに対して優先度情報を付与する構成であってもよい。
【０１５７】
最後に、サーバ装置２ａ・２ｂ・２ｃおよび情報処理装置３・３ａ・３ｂ・３ｃの各ブロックは、ハードウェアロジックによって構成してもよいし、次のようにＣＰＵを用いてソフトウェアによって実現してもよい。
【０１５８】
すなわち、サーバ装置２ａ・２ｂ・２ｃおよび情報処理装置３・３ａ・３ｂ・３ｃは、各機能を実現する制御プログラムの命令を実行するＣＰＵ（central processing unit）、上記プログラムを格納したＲＯＭ（read only memory）、上記プログラムを展開するＲＡＭ（random access memory）、上記プログラムおよび各種データを格納するメモリ等の記憶装置（記録媒体）などを備えている。そして、本発明の目的は、上述した機能を実現するソフトウェアであるサーバ装置２ａ、サーバ装置２ｂ、サーバ装置２ｃ、情報処理装置３、情報処理装置３ａ、情報処理装置３ｂ、または情報処理装置３ｃの制御プログラムのプログラムコード（実行形式プログラム、中間コードプログラム、ソースプログラム）をコンピュータで読取り可能に記録した記録媒体を、サーバ装置２ａ、サーバ装置２ｂ、サーバ装置２ｃ、情報処理装置３、情報処理装置３ａ、情報処理装置３ｂ、または情報処理装置３ｃに供給し、そのコンピュータ（またはＣＰＵやＭＰＵ）が記録媒体に記録されているプログラムコードを読み出し実行することによっても、達成可能である。
【０１５９】
上記記録媒体としては、例えば、磁気テープやカセットテープ等のテープ系、フロッピー（登録商標）ディスク／ハードディスク等の磁気ディスクやＣＤ−ＲＯＭ／ＭＯ／ＭＤ／ＤＶＤ／ＣＤ−Ｒ等の光ディスクを含むディスク系、ＩＣカード（メモリカードを含む）／光カード等のカード系、あるいはマスクＲＯＭ／ＥＰＲＯＭ／ＥＥＰＲＯＭ／フラッシュＲＯＭ等の半導体メモリ系などを用いることができる。
【０１６０】
また、サーバ装置２ａ・２ｂ・２ｃおよび情報処理装置３・３ａ・３ｂ・３ｃを通信ネットワークと接続可能に構成し、上記プログラムコードを、通信ネットワークを介して供給してもよい。この通信ネットワークとしては、特に限定されず、例えば、インターネット、イントラネット、エキストラネット、ＬＡＮ、ＩＳＤＮ、ＶＡＮ、ＣＡＴＶ通信網、仮想専用網（virtual private network）、電話回線網、移動体通信網、衛星通信網等が利用可能である。また、通信ネットワークを構成する伝送媒体としては、特に限定されず、例えば、ＩＥＥＥ１３９４、ＵＳＢ、電力線搬送、ケーブルＴＶ回線、電話線、ＡＤＳＬ回線等の有線でも、ＩｒＤＡやリモコンのような赤外線、Ｂｌｕｅｔｏｏｔｈ（登録商標）、８０２．１１無線、ＨＤＲ、携帯電話網、衛星回線、地上波デジタル網等の無線でも利用可能である。なお、本発明は、上記プログラムコードが電子的な伝送で具現化された、搬送波に埋め込まれたコンピュータデータ信号の形態でも実現され得る。
【０１６１】
なお、本発明は、上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【産業上の利用可能性】
【０１６２】
以上のように、本発明の表示情報生成装置、サーバ装置、その制御プログラムおよびコンピュータ読取り可能な記録媒体、情報処理装置、表示システム、ならびに制御方法は、情報処理装置の快適な使用感を損なうことなく、情報処理装置の表示画面の所定の階層に表示される表示情報の目的とする箇所を、表示画面の上記所定の階層よりも上位の階層に表示される表示情報に遮られないように表示させることを可能にする。従って、本発明は、表示画面に情報の表示を行うことが可能な情報処理装置に関連する産業分野に好適に用いることができ、携帯電話機、ネットワークに接続するテレビ、およびハードディスクレコーダなどにも好適に用いることができる。
【図面の簡単な説明】
【０１６３】
【図１】本発明における情報処理装置の概略的構成を示す機能ブロック図である。
【図２】本発明における画像表示システムの概略的構成を示す図である。
【図３】（ａ）電子メールのデータに由来する壁紙画像データの一例を示す図であり、（ｂ）は、情報誌データに由来する壁紙画像データの一例を示す図である。
【図４】上記情報処理装置の表示関連情報収集部によって収集される情報の一例を表にまとめた図である。
【図５】上記情報処理装置での動作フローの一例を示すフローチャートである。
【図６】上記情報処理装置の壁紙画像生成部での壁紙画像を生成する処理の詳細な動作フローの一例を示すフローチャートである。
【図７】（ａ）〜（ｈ）は、上記壁紙画像生成部での壁紙画像を生成する処理の概要を具体的に示す図である。
【図８】（ａ）は、本発明における表示画面上のアイコン、日時などの表示が行われている領域としてみなす領域の一例を示す図であり、（ｂ）は、アイコンなどの表示が行われている領域としてみなす領域の範囲の一例を示す図である。
【図９】本発明における表示画面上のアイコン、日時などの表示が行われている領域としてみなす領域を求める処理のフローである。
【図１０】本発明における空き領域を求める処理を説明するための模式図である。
【図１１】本発明における空き領域を求める処理のフローである。
【図１２】本発明における空き領域を複数の領域に分割する処理のフローの一例である。
【図１３】（ａ）〜（ｄ）は、本発明における空き領域を複数の領域に分割する処理の概要を示す模式図である。
【図１４】本発明における画像表示システムの他の実施の形態の概略的構成を示す図である。
【図１５】上記壁紙画像表示システムに含まれるサーバ装置と情報処理装置との間でのデータの流れの一例を示す図である。
【図１６】本発明における画像表示システムのさらに他の実施の形態の概略的構成を示す図である。
【図１７】上記壁紙画像表示システムに含まれるサーバ装置と情報処理装置との間でのデータの流れの一例を示す図である。
【図１８】本発明における画像表示システムのさらに他の実施の形態の概略的構成を示す図である。
【図１９】（ａ）〜（ｄ）は、本発明における空き領域を複数の領域に分割する処理の概要を示す模式図である。
【図２０】上記情報処理装置の表示関連情報収集部によって収集される情報の他の一例を表にまとめた図である。
【符号の説明】
【０１６４】
１・１ａ・１ｂ・１ｃ          壁紙画像表示システム（表示システム）
２・２ａ・２ｂ・２ｃ          サーバ装置
３・３ａ・３ｂ                情報処理装置
４                            壁紙画像生成装置（表示情報生成装置）
５                            サーバ装置（他のサーバ装置）
１１・１１ａ                    情報処理装置側通信部（表示情報生成データ取得手段）
１１ｂ                          情報処理装置側通信部
１２・１２ｂ・１２ｃ            壁紙画像データ格納部（表示情報生成データ格納部）
１３                            トリガ検出部（トリガ検出手段）
１４                            表示関連情報収集部（属性情報収集手段）
１５・１５ａ・１５ｂ・１５ｃ    壁紙画像生成部（表示情報生成手段）
１６                            画像表示部
１７                            操作入力部
１８                            優先度付与部（優先度付与手段）
１９                            再レイアウト確認部（提示手段）
２０                            再レイアウト指示検出部（表示情報変更指示検出手段）
２１                            情報処理装置側データ受信部（第４受信手段）
２１ａ・２１ｂ・２１ｃ          情報処理装置側データ受信部
２２ａ・２２ｂ・２２ｃ          情報処理装置側データ送信部
３０ａ・３０ｂ                  サーバ装置側通信部
３０ｃ                          第１サーバ装置側通信部
３１ａ                          サーバ装置側データ受信部（第２受信手段）
３１ｂ                          サーバ装置側データ受信部（第１受信手段）
３１ｃ                          サーバ装置側データ受信部（第３受信手段）
３２ａ・３２ｂ・３２ｃ          サーバ装置側データ送信部（表示データ送信手段）
４０                            第２サーバ装置側通信部
【図１】
2008299447.tif 000003
【図２】
2008299447.tif 000004
【図３】
2008299447.tif 000005
【図４】
2008299447.tif 000006
【図５】
2008299447.tif 000007
【図６】
2008299447.tif 000008
【図７】
2008299447.tif 000009
【図８】
2008299447.tif 000010
【図９】
2008299447.tif 000011
【図１０】
2008299447.tif 000012
【図１１】
2008299447.tif 000013
【図１２】
2008299447.tif 000014
【図１３】
2008299447.tif 000015
【図１４】
2008299447.tif 000016
【図１５】
2008299447.tif 000017
【図１６】
2008299447.tif 000018
【図１７】
2008299447.tif 000019
【図１８】
2008299447.tif 000020
【図１９】
2008299447.tif 000021
【図２０】
2008299447.tif 000022